(57)【要約】【課題】インキ制御装置並びに印刷機及び印刷方法において、色調整作業の簡略化を図ることで作業性の向上を図ると共に作業者にかかる負担を軽減可能とする。【解決手段】オペレータが色調整を行う複数のインキキーゾーンを選択可能であると共に、色調整量操作画面３３を用いて色調整量の指示値を入力可能な操作装置２１を設け、演算装置１２が、選択された複数のインキキーゾーンの色調整量を指示値に基づいてインキキー開度により設定すると共に、インキ元ローラの回転数により設定し、指示値に基づいて選択された複数のインキキーゾーンにおけるインキ成分ごとの供給量を設定されたインキキー開度またはインキ元ローラの回転数により変更し、変更されたインキ成分ごとの供給量に応じてインキ供給装置１０２，２０２，３０２，４０２を制御する。【選択図】      図１
2008119854.tif 000002
【特許請求の範囲】
【請求項１】
印刷絵柄に対応する画像から色調整を行うインキ領域を選択する色調整用インキ領域選択手段と、該色調整用インキ領域選択手段により選択されたインキ領域の色調整量を指示値に基づいてインキキー開度により設定する第１色調整量設定手段と、前記色調整用インキ領域選択手段により選択されたインキ領域の色調整量を指示値に基づいてインキ元ローラの回転数により設定する第２色調整量設定手段と、前記色調整用インキ領域選択手段により選択されたインキ領域に応じて前記第１色調整量設定手段により設定された色調整量及びまたは前記第２色調整量設定手段により設定された色調整量を選択してインキ領域におけるインキ供給量を変更するインキ供給量変更手段とを具えたことを特徴とするインキ制御装置。
【請求項２】
請求項１に記載のインキ制御装置において、前記色調整用インキ領域選択手段は、印刷絵柄に対応する画像から色調整を行う複数のインキ領域を選択し、前記第１及び第２色調整量設定手段は、前記色調整用インキ領域選択手段により選択された複数のインキ領域の色調整量を入力される一つの指示値に基づいて設定することを特徴とするインキ制御装置。
【請求項３】
請求項１または２に記載のインキ制御装置において、前記色調整用インキ領域選択手段により特定のインキ領域が選択されたとき、前記第１色調整量設定手段は、選択されたインキ領域の色調整量を指示値と画線率とインキ元ローラの回転数に基づいてインキ領域ごとにインキキー開度変更量として設定し、前記インキ供給量変更手段は、前記第１色調整量設定手段により設定されたインキキー開度変更量に基づいてインキ領域におけるインキ供給量を変更することを特徴とするインキ制御装置。
【請求項４】
請求項３に記載のインキ制御装置において、前記第１色調整量設定手段が設定したインキ領域ごとのインキキー開度変更量に応じたインキキー開度が１００％または０％であるとき、前記第２色調整量設定手段は、色調整量を指示値に基づいてインキ元ローラの回転数として変更し、前記第１色調整量設定手段は、指示値と画線率と変更されたインキ元ローラの回転数に基づいて全てのインキ領域ごとにインキキー開度変更量として再設定することを特徴とするインキ制御装置。
【請求項５】
請求項１または２に記載のインキ制御装置において、前記色調整用インキ領域選択手段により全てのインキ領域が選択されたとき、前記第２色調整量設定手段は、全てのインキ領域の色調整量を指示値に基づいてインキ元ローラの回転数として設定し、前記インキ供給量変更手段は、前記第２色調整量設定手段により設定されたインキ元ローラの回転数に基づいてインキ領域におけるインキ供給量を変更することを特徴とするインキ制御装置。
【請求項６】
請求項１から５のいずれか一つに記載のインキ制御装置において、前記色調整用インキ領域選択手段により選択されたインキ領域の色調整量を指示値に基づいてインキ呼出ローラの停止枚数により設定する第３色調整量設定手段を設け、インキ供給量を減少させる指示値が入力されたとき、前記第３色調整量設定手段は、選択されたインキ領域の色調整量を指示値に基づいてインキ呼出ローラの停止枚数として設定し、前記インキ供給量変更手段は、前記第３色調整量設定手段により設定されたインキ呼出ローラの停止枚数に基づいて前記インキ呼出ローラを停止することを特徴とするインキ制御装置。
【請求項７】
請求項１から６のいずれか一つに記載のインキ制御装置において、印刷絵柄の画像情報に基づいた画像を表示する画像表示手段を設け、前記色調整用インキ領域選択手段は、該画像表示手段により表示された画像から色調整を行うインキ領域を選択することを特徴とするインキ制御装置。
【請求項８】
印刷絵柄に対応する画像から色調整を行うインキ領域を選択する色調整用インキ領域選択手段と、該色調整用インキ領域選択手段により選択されたインキ領域の色調整量を指示値に基づいてインキキー開度により設定する第１色調整量設定手段と、前記色調整用インキ領域選択手段により選択されたインキ領域の色調整量を指示値に基づいてインキ元ローラの回転数により設定する第２色調整量設定手段と、前記色調整用インキ領域選択手段により選択されたインキ領域に応じて前記第１色調整量設定手段により設定された色調整量及びまたは前記第２色調整量設定手段により設定された色調整量を選択してインキ領域におけるインキ供給量を変更するインキ供給量変更手段と、該インキ供給量変更手段により変更されたインキ供給量に基づいて前記インキ領域ごとにインキ供給量を調整可能なインキ供給手段とを具えたことを特徴とする印刷機。
【請求項９】
印刷絵柄に対応する画像から色調整を行うインキ領域を選択し、選択されたインキ領域に応じて、インキ領域の色調整量を指示値に基づいてインキキー開度により設定し、インキ領域の色調整量を指示値に基づいてインキ元ローラの回転数により設定し、設定されたインキキー開度及びまたはインキ元ローラの回転数によりインキ領域におけるインキ供給量を変更し、変更されたインキ供給量に基づいて前記インキ領域ごとにインキ供給量を調整することを特徴とする印刷方法。
【発明の詳細な説明】
【技術分野】
【０００１】
本発明は、印刷幅方向に区画された複数のインキ領域ごとにインキ供給量を調整可能なインキ制御装置、並びにこのインキ制御装置を有する印刷機及び印刷方法に関する。
【背景技術】
【０００２】
一般的なオフセット印刷機では、印刷シートの搬送経路に沿って４つのインキ色、つまり、藍（Cyan）、紅（Magenta）、黄（yellow）、墨（Black）ごとの印刷ユニットが配置されており、各印刷ユニットは、インキキー式のインキ供給装置を有している。このインキ供給装置では、インキキーのインキ元ローラに対する隙間量（インキキー開度）によりインキ供給量を調整することができる。従って、各インキキーにより供給量を調整されたインキは、インキローラ群を介して版胴の版面に供給され、版面に付着したインキがブランケット胴を介して絵柄として印刷シートに転写される。
【０００３】
このように構成されたオフセット印刷機のインキ供給装置では、印刷ユニットごとに印刷幅方向に沿って複数配列された複数のインキキーを有しており、印刷用紙の幅方向に区画された複数のインキ領域（インキキーゾーン）単位でインキ供給量を調整可能となっている。従って、印刷機の色調整は、オペレータの意図による色調整をプロセス色に分解した上で変化量を設定し、これを絵柄の面積率、インキ元ローラの回転数、印刷応答性など種々の要因を考慮してインキキー開度に変換するといった非常に高度なスキルが要求される。
【０００４】
図１７は、従来の印刷機におけるインキ制御装置のインキ供給量制御のフローチャートである。この図１７に示すように、ステップＳ００１にて、印刷準備が完了すると、ステップＳ００２にて、試し刷りを行う。そして、ステップＳ００３にて、オペレータが試し刷りされた印刷物を目視し、色調整が必要かどうかを判断する。ここで、色調整が不要であると判断すれば、ステップＳ０１１にて、本刷りを実施する一方、色調整が必要であると判断すれば、ステップＳ００４以降で色調整作業を行う。
【０００５】
即ち、ステップＳ００４にて、オペレータが試し刷りされた印刷物に対して、色調整が必要なインキキーゾーンごとに色分解を行い、藍（ｃ）、紅（ｍ）、黄（ｙ）、墨（ｋ）のインキ増減量を設定する。ステップＳ００５では、各インキキーゾーンの画線率考慮し、ステップＳ００６にて、各インキキーゾーンごとのインキキーの開度調整量を設定する。そして、ステップＳ００７〜Ｓ０１０にて、各インキキーを操作してインキキーの開度を調整する。その後、ステップＳ００２に戻って、再度、試し刷りを行い、ステップＳ００３にて、オペレータが試し刷りされた印刷物を目視し、色調整が必要かどうかを判断する。この繰り返し作業により画像の色調整を行ってオペレータの所望の色とする。
【０００６】
なお、このような従来の印刷機のインキ制御装置としては、下記特許文献１、２に記載されたものがある。
【０００７】
【特許文献１】特開２０００−０８５１０７号公報
【特許文献２】特開２００４−０３４３７５号公報
【発明の開示】
【発明が解決しようとする課題】
【０００８】
ところが、４つの印刷ユニットごとに、印刷用紙の幅方向に区画された複数のインキキーゾーン単位でインキ供給量を調整可能な複数のインキキーを有するインキ供給装置では、１つの印刷ユニットで、例えば、３０個のインキキーを有していた場合、４つの印刷ユニットでは１２０個のインキキーが存在することとなり、オペレータがこの１２０個のインキキーを操作して色調整することは煩雑な作業となる。その上、画像の色調整を行うためのインキキーの操作は、上述したように、絵柄の面積率、インキ元ローラの回転数、印刷応答性など種々の要因を考慮する必要から、非常に高度なスキルが要求されるものであり、オペレータに大きな作業負荷が発生してしまうという問題がある。
【０００９】
なお、上述した特許文献１に記載されたインキ供給量設定装置では、複数のインキ供給装置に対応して個別設定スイッチを設け、右揃えモードにて、一つの個別設定スイッチにより設定値が入力されると、その右側の個別設定スイッチの値も連動して設定されるようにしている。この場合、複数の個別設定スイッチの操作時間は短縮されるものの、色調整するときには、全ての個別設定スイッチを操作する必要があり、色調整作業時の煩雑さを解消することができず、また、オペレータの作業負荷も解消することができない。
【００１０】
また、特許文献２に記載された印刷装置では、タッチパネル方式のコントロールパネルにおける表示画面上に各インキキーの開度を調整するためのキー操作スイッチを表示し、切替スイッチを操作すると、キー操作スイッチと印刷を実行している印刷物の絵柄を同時に表示しているものの、オペレータが多数のインキキーを操作して印刷物の絵柄の色調整をすることとなり、煩雑な作業となってしまう。
【００１１】
本発明は上述した課題を解決するものであり、色調整作業の簡略化を図ることで作業性の向上を図ると共に作業者にかかる負担を軽減可能としたインキ制御装置並びに印刷機及び印刷方法を提供することを目的とする。
【課題を解決するための手段】
【００１２】
上記の目的を達成するための請求項１の発明のインキ制御装置は、印刷絵柄に対応する画像から色調整を行うインキ領域を選択する色調整用インキ領域選択手段と、該色調整用インキ領域選択手段により選択されたインキ領域の色調整量を指示値に基づいてインキキー開度により設定する第１色調整量設定手段と、前記色調整用インキ領域選択手段により選択されたインキ領域の色調整量を指示値に基づいてインキ元ローラの回転数により設定する第２色調整量設定手段と、前記色調整用インキ領域選択手段により選択されたインキ領域に応じて前記第１色調整量設定手段により設定された色調整量及びまたは前記第２色調整量設定手段により設定された色調整量を選択してインキ領域におけるインキ供給量を変更するインキ供給量変更手段とを具えたことを特徴とするものである。
【００１３】
請求項２の発明のインキ制御装置では、前記色調整用インキ領域選択手段は、印刷絵柄に対応する画像から色調整を行う複数のインキ領域を選択し、前記第１及び第２色調整量設定手段は、前記色調整用インキ領域選択手段により選択された複数のインキ領域の色調整量を入力される一つの指示値に基づいて設定することを特徴としている。
【００１４】
請求項３の発明のインキ制御装置では、前記色調整用インキ領域選択手段により特定のインキ領域が選択されたとき、前記第１色調整量設定手段は、選択されたインキ領域の色調整量を指示値と画線率とインキ元ローラの回転数に基づいてインキ領域ごとにインキキー開度変更量として設定し、前記インキ供給量変更手段は、前記第１色調整量設定手段により設定されたインキキー開度変更量に基づいてインキ領域におけるインキ供給量を変更することを特徴としている。
【００１５】
請求項４の発明のインキ制御装置では、前記第１色調整量設定手段が設定したインキ領域ごとのインキキー開度変更量に応じたインキキー開度が１００％または０％であるとき、前記第２色調整量設定手段は、色調整量を指示値に基づいてインキ元ローラの回転数として変更し、前記第１色調整量設定手段は、指示値と画線率と変更されたインキ元ローラの回転数に基づいて全てのインキ領域ごとにインキキー開度変更量として再設定することを特徴としている。
【００１６】
請求項５の発明のインキ制御装置では、前記色調整用インキ領域選択手段により全てのインキ領域が選択されたとき、前記第２色調整量設定手段は、全てのインキ領域の色調整量を指示値に基づいてインキ元ローラの回転数として設定し、前記インキ供給量変更手段は、前記第２色調整量設定手段により設定されたインキ元ローラの回転数に基づいてインキ領域におけるインキ供給量を変更することを特徴としている。
【００１７】
請求項６の発明のインキ制御装置では、前記色調整用インキ領域選択手段により選択されたインキ領域の色調整量を指示値に基づいてインキ呼出ローラの停止枚数により設定する第３色調整量設定手段を設け、前記色調整用インキ領域選択手段により低画線部のインキ領域が選択されたとき、前記第３色調整量設定手段は、選択されたインキ領域の色調整量を指示値に基づいてインキ呼出ローラの停止枚数として設定し、前記インキ供給量変更手段は、前記第３色調整量設定手段により設定されたインキ呼出ローラの停止枚数に基づいて前記インキ呼出ローラを停止することを特徴としている。
【００１８】
請求項７の発明のインキ制御装置では、印刷絵柄の画像情報に基づいた画像を表示する画像表示手段を設け、前記色調整用インキ領域選択手段は、該画像表示手段により表示された画像から色調整を行うインキ領域を選択することを特徴としている。
【００１９】
請求項８の発明の印刷機は、印刷絵柄に対応する画像から色調整を行うインキ領域を選択する色調整用インキ領域選択手段と、該色調整用インキ領域選択手段により選択されたインキ領域の色調整量を指示値に基づいてインキキー開度により設定する第１色調整量設定手段と、前記色調整用インキ領域選択手段により選択されたインキ領域の色調整量を指示値に基づいてインキ元ローラの回転数により設定する第２色調整量設定手段と、前記色調整用インキ領域選択手段により選択されたインキ領域に応じて前記第１色調整量設定手段により設定された色調整量及びまたは前記第２色調整量設定手段により設定された色調整量を選択してインキ領域におけるインキ供給量を変更するインキ供給量変更手段と、該インキ供給量変更手段により変更されたインキ供給量に基づいて前記インキ領域ごとにインキ供給量を調整可能なインキ供給手段とを具えたことを特徴とするものである。
【００２０】
請求項９の発明の印刷方法は、印刷絵柄に対応する画像から色調整を行うインキ領域を選択し、選択されたインキ領域に応じて、インキ領域の色調整量を指示値に基づいてインキキー開度により設定し、インキ領域の色調整量を指示値に基づいてインキ元ローラの回転数により設定し、設定されたインキキー開度及びまたはインキ元ローラの回転数によりインキ領域におけるインキ供給量を変更し、変更されたインキ供給量に基づいて前記インキ領域ごとにインキ供給量を調整することを特徴とするものである。
【発明の効果】
【００２１】
請求項１の発明のインキ制御装置によれば、印刷絵柄に対応する画像から色調整を行うインキ領域を選択する色調整用インキ領域選択手段と、選択されたインキ領域の色調整量を指示値に基づいてインキキー開度により設定する第１色調整量設定手段と、選択されたインキ領域の色調整量を指示値に基づいてインキ元ローラの回転数により設定する第２色調整量設定手段と、インキ領域に応じて第１色調整量設定手段により設定された色調整量及びまたは第２色調整量設定手段により設定された色調整量を選択してインキ領域におけるインキ供給量を変更するインキ供給量変更手段とを設けたので、色調整を行うための選択されたインキ領域に対して指示値を入力すると、第１色調整量設定手段は色調整量を指示値に基づいてインキキー開度により設定する一方、第２色調整量設定手段は色調整量を指示値に基づいてインキ元ローラの回転数により設定し、インキ供給量変更手段はインキキー開度及びまたはインキ元ローラの回転数に応じたインキ供給量を変更することとなり、選択したインキ領域におけるインキ成分ごとの調整量が自動的に設定され、印刷幅方向に区画された複数のインキ領域ごとのインキ供給量を容易に調整することができ、色調整作業の簡略化を図ることで作業性の向上を図ることができると共に、作業者にかかる負担を軽減することができる。
【００２２】
請求項２の発明のインキ制御装置によれば、色調整用インキ領域選択手段は、印刷絵柄に対応する画像から色調整を行う複数のインキ領域を選択し、第１及び第２色調整量設定手段は、選択された複数のインキ領域の色調整量を入力される一つの指示値に基づいて設定するので、選択した複数のインキ領域に対して、印刷絵柄に対応する画像と一つの指示値に基づいてインキ領域ごとに異なる色調整量が設定されることとなり、複数のインキ領域のインキ供給量を容易に、且つ、短時間で調整することができ、作業性を向上することができる。
【００２３】
請求項３の発明のインキ制御装置によれば、特定のインキ領域が選択されたとき、第１色調整量設定手段は、選択されたインキ領域の色調整量を指示値と画線率とインキ元ローラの回転数に基づいてインキ領域ごとにインキキー開度変更量として設定し、インキ供給量変更手段は、第１色調整量設定手段により設定されたインキキー開度変更量に基づいてインキ領域におけるインキ供給量を変更するので、選択した特定のインキ領域に対して、指示値と画線率とインキ元ローラの回転数に基づいてインキ領域ごとのインキキー開度変更量を設定することで、画線率の異なる各インキ領域のインキ供給量を容易に、且つ、短時間で調整することができ、作業性を向上することができる。
【００２４】
請求項４の発明のインキ制御装置によれば、第１色調整量設定手段が設定したインキ領域ごとのインキキー開度変更量に応じたインキキー開度が１００％または０％であるとき、第２色調整量設定手段は、色調整量を指示値に基づいてインキ元ローラの回転数として変更し、第１色調整量設定手段は、指示値と画線率と変更されたインキ元ローラの回転数に基づいて全てのインキ領域ごとにインキキー開度変更量として再設定するので、インキキー開度変更量に応じたインキキー開度の調整代が十分でないとき、インキ元ローラの回転数を変更することで全てのインキ領域ごとにインキキー開度変更量を再設定するため、オペレータが所望する色調整を適正に実行することができる。
【００２５】
請求項５の発明のインキ制御装置によれば、色調整用インキ領域選択手段により全てのインキ領域が選択されたとき、第２色調整量設定手段は、全てのインキ領域の色調整量を指示値に基づいてインキ元ローラの回転数として設定し、インキ供給量変更手段は、第２色調整量設定手段により設定されたインキ元ローラの回転数に基づいてインキ領域におけるインキ供給量を変更するので、全てのインキ領域が選択されたとき、インキ元ローラの回転数を変更することで全てのインキ領域の色調整を短時間で容易に実行することができる。
【００２６】
請求項６の発明のインキ制御装置によれば、選択されたインキ領域の色調整量を指示値に基づいてインキ呼出ローラの停止枚数により設定する第３色調整量設定手段を設け、低画線部のインキ領域が選択されたとき、第３色調整量設定手段は、色調整量を指示値に基づいてインキ呼出ローラの停止枚数として設定し、インキ供給量変更手段は、第３色調整量設定手段により設定されたインキ呼出ローラの停止枚数に基づいて前記インキ呼出ローラを停止するので、複数のインキ領域ごとのインキ供給量を容易に調整することができる。
【００２７】
請求項７の発明のインキ制御装置によれば、印刷絵柄の画像情報に基づいた画像を表示する画像表示手段を設け、色調整用インキ領域選択手段は、表示された画像から色調整を行うインキ領域を選択するので、オペレータを画像表示手段に表示された画像を見ながら色調整を行うインキ領域を容易に選択することができ、作業性を向上することができる。
【００２８】
請求項８の発明の印刷機によれば、印刷絵柄に対応する画像から色調整を行うインキ領域を選択する色調整用インキ領域選択手段と、選択されたインキ領域の色調整量を指示値に基づいてインキキー開度により設定する第１色調整量設定手段と、選択されたインキ領域の色調整量を指示値に基づいてインキ元ローラの回転数により設定する第２色調整量設定手段と、選択されたインキ領域に応じて第１色調整量設定手段により設定された色調整量及びまたは第２色調整量設定手段により設定された色調整量を選択してインキ領域におけるインキ供給量を変更するインキ供給量変更手段と、変更されたインキ供給量に基づいて前記インキ領域ごとにインキ供給量を調整可能なインキ供給手段を設けたので、インキキー開度及びまたはインキ元ローラの回転数に応じたインキ供給量を変更するため、選択したインキ領域におけるインキ成分ごとの調整量が自動的に設定され、印刷幅方向に区画された複数のインキ領域ごとのインキ供給量を容易に調整することができ、色調整作業の簡略化を図ることで作業性の向上を図ることができると共に、作業者にかかる負担を軽減することができる。
【００２９】
請求項９の発明の印刷方法によれば、印刷絵柄に対応する画像から色調整を行うインキ領域を選択し、選択されたインキ領域に応じて、インキ領域の色調整量を指示値に基づいてインキキー開度により設定し、インキ領域の色調整量を指示値に基づいてインキ元ローラの回転数により設定し、設定されたインキキー開度及びまたはインキ元ローラの回転数によりインキ領域におけるインキ供給量を変更し、変更されたインキ供給量に基づいて前記インキ領域ごとにインキ供給量を調整するようにしたので、インキキー開度及びまたはインキ元ローラの回転数に応じたインキ供給量を変更するため、選択したインキ領域におけるインキ成分ごとの調整量が自動的に設定され、印刷幅方向に区画された複数のインキ領域ごとのインキ供給量を容易に調整することができ、色調整作業の簡略化を図ることで作業性の向上を図ることができると共に、作業者にかかる負担を軽減することができる。
【発明を実施するための最良の形態】
【００３０】
以下に添付図面を参照して、本発明に係るインキ制御装置並びに印刷機及び印刷方法の好適な実施例を詳細に説明する。なお、この実施例により本発明が限定されるものではない。
【実施例１】
【００３１】
図１は、本発明の実施例１に係る印刷機におけるインキ制御装置の操作装置を表す概略図、図２は、実施例１の印刷機におけるインキ制御装置の操作装置の印刷状態表示画面を表す概略図、図３は、実施例１の印刷機におけるインキ制御装置の外観図、図４は、実施例１の印刷機におけるインキ制御装置の概略構成図、図５は、実施例１の印刷機におけるインキ制御装置のインキキーゾーンごとのインキ供給量制御の処理ブロック図、図６は、画線率に対するインキキー開度変更量を表すグラフ、図７は、実施例１の印刷機におけるインキ制御装置のインキ供給量制御のフローチャート、図８は、実施例１の印刷機が適用されたオフセット印刷機の概略構成図である。
【００３２】
実施例１のインキ制御装置並びに印刷機が適用されたオフセット印刷機において、図８に示すように、印刷シートＳの搬送経路に沿って、インキ色としての藍（Cyan）、紅（Magenta）、黄（yellow）、墨（Black）ごとに印刷ユニット１０１，２０１，３０１，４０１が設置されており、各印刷ユニット１０１，２０１，３０１，４０１は、それぞれインキ供給装置１０２，２０２，３０２，４０２が設けられている。このインキ供給装置１０２，２０２，３０２，４０２は、インキ元ローラ１０３，２０３，３０３，４０３とインキブレード１０４，２０４，３０４，４０４からなるインキつぼ装置を有し、また、調整ねじによりインキ元ローラ１０３，２０３，３０３，４０３とインキブレード１０４，２０４，３０４，４０４との隙間量（インキキー開度）を調整可能なインキキー１０５，２０５，３０５，４０５を有している。本実施例の場合、インキキー１０５，２０５，３０５，４０５は、印刷幅方向に複数併設されており、インキキー１０５，２０５，３０５，４０５の幅単位のインキ領域、つまり、本実施形態においてはインキキーゾーンごとにインキ供給量を調整する構成を採用する。なお、インキキーが微細幅に分割されている装置においては、例えば隣接するインキキーをセットにして選択するなど、一つのインキ領域と複数のインキキーゾーンを対応付けてインキ供給量を調整する構成を採用しても良い。
【００３３】
また、印刷シートＳの搬送経路を挟んで、上方にブランケット１０６，２０６，３０６，４０６及び版胴１０７，２０７，３０７，４０７が配置される一方、圧胴１０８，２０８，３０８，４０８が配置されている。そして、インキ供給装置１０２，２０２，３０２，４０２と版胴１０７，２０７，３０７，４０７との間にインキローラ群１０９，２０９，３０９，４０９が配置されている。このインキローラ群１０９，２０９，３０９，４０９は、インキ呼出ローラ１１０，２１０，３１０，４１０と、インキ受渡しローラ１１１，２１１，３１１，４１１を有している。
【００３４】
従って、インキ供給装置１０２，２０２，３０２，４０２のインキキー１０５，２０５，３０５，４０５により供給量を調整されたインキは、インキ呼出ローラ１１０，２１０，３１０，４１０を介してインキ受渡しローラ１１１，２１１，３１１，４１１に受け渡され、インキローラ群１０９，２０９，３０９，４０９で適度に練られ、薄膜を形成した後に版胴１０７，２０７，３０７，４０７の版面に供給され、版面に付着したインキがブランケット胴１０６，２０６，３０６，４０６を介して絵柄として印刷シートＳに転写される。
【００３５】
このように構成された本実施例のオフセット印刷機にて、４つの印刷ユニット１０１，２０１，３０１，４０１は、それぞれインキ供給装置１０２，２０２，３０２，４０２を有し、対応して設けられたインキキー１０５，２０５，３０５，４０５は、印刷幅方向に区画された複数（本実施例では、３０ゾーン）のインキキーゾーンごとにインキ供給量を調整することができる。そして、本実施例では、試し刷りされた印刷物に対してオペレータが色調整をするとき、色調整のための一つの指示値を入力すると、色調整を行う全てのインキキーゾーン（インキ領域）のインキ成分ごとの増減量を自動的に算出し、印刷標準データ（画像情報）に基づいて設定されたインキ成分ごとの供給量に対して、このインキ成分ごとの増減量を加算してインキ成分ごとのインキ供給量を設定するようにしている。
【００３６】
即ち、本実施例のオフセット印刷機におけるインキ制御装置の装置構成において、図３及び図４に示すように、インキ制御装置１１は、第１パラレルパスラインＰ１を介して印刷ユニット１０１，２０１，３０１，４０１に接続され、インキキー１０５，２０５，３０５，４０５（インキキー開度コントローラ）によるインキキー開度やインキ元ローラ１０３，２０３，３０３，４０３（インキ元ローラ回転コントローラ）の回転数などを制御可能となっている。そして、このインキ制御装置１１は、インキキーゾーンごとの色調整量を設定する色調整量設定手段としての演算装置１２を有しており、この演算装置１２には、ＬＡＮボード１３、データベース１４、入出力ポート１５が接続されている。また、演算装置１２は、基準インキ供給量設定部１６、インキ増減量設定部１７、インキ増減量加算部１８、インキ供給量制御部１９を有している。この場合、本実施例では、本発明のインキ供給量変更手段が印刷ユニット１０１，２０１，３０１，４０１のインキキー開度コントローラにより構成される。
【００３７】
このインキ制御装置１１は、オペレータが演算装置１２などを遠隔で操作可能な操作装置２１を有している。この操作装置２１は、上下２つのタッチパネル２１ａ，２１ｂから構成されている。そして、この操作装置２１は、印刷標準データとしてのＰＰＦ（Print Production Format）データに基づいて画像をタッチパネル２１ａ，２１ｂに表示する表示機能（表示手段）と、表示された画像からオペレータがタッチパネル２１ａ，２１ｂを指先で選択操作して色調整を行う複数のインキキーゾーンを選択する色調整部選択機能（色調整用インキ領域選択手段）を有している。
【００３８】
また、インキ制御装置１１は、第２パラレルパスラインＰ２を介してＣＩＰ３（Cooperation for Integration of Prepress, Press, Postpress）サーバ２２、ＲＩＰ（Raster Image Processor）２３に接続されている。このＣＩＰ３サーバ２２は、オフセット印刷機のインキ供給量を設定するために、印刷画像の画線率を含んだＰＰＦデータを第２パスラインＰ２によりインキ制御装置１１に出力する。ＲＩＰ２３は、印刷画像データを網点データに置き換えるものであり、この網点データをＣＩＰ３サーバ２２に渡し、ＰＰＦデータを作成する。なお、図２において、演算装置１２には、ハブ２４が接続され、このハブ２４にパラレルパスラインＰ１，Ｐ２が接続されている。
【００３９】
ここで、まず、本実施例のオフセット印刷機を操作する操作装置２１について詳細に説明する。図１及び図２に示すように、操作装置２１は、指先で画面をタッチすることで操作可能なタッチパネル式のディスプレスであって、ＰＰＦデータに基づいた印刷絵柄画像をインキキーゾーンに区画して表示する画像表示画面３１と、設定された色調整量をインキキーゾーンごとに表示する色調整量表示画面３２と、色調整量を行う色調整量操作画面３３とを有している。また、操作装置２１は、インキ元ローラ回転数やインキキー開度などの印刷機運転状態を表示する印刷状態表示画面３４を有しており、画像表示画面３１と切換表示可能となっている。
【００４０】
画像表示画面３１は、ＰＰＦデータに基づいた印刷画像を表示することができる。この場合、インキ供給装置１０２，２０２，３０２，４０２の各インキキー１０５，２０５，３０５，４０５が、印刷幅方向に区画された３０個インキキーゾーンごとにインキ供給量を調整することから、印刷画像を３０個のインキキーゾーンに区画する補助線が表示されると共に、インキキーゾーン番号（ＮＯ，１〜３０）が表示されるようになっている。また、画像表示画面３１の側方には、４つのインキ色としての墨（Ｋ）、（Ｃ）、紅（Ｍ）、黄（Ｙ）単独で画像を表示するための色選択スイッチ３５が設けられている。
【００４１】
従って、例えば、画像表示画面３１には、多数の果物がバスケットに入れられた画像が表示されており、この果物の画像にて、ある特定の果物の色を調整したいとき、オペレータは、指先で色調整したい果物が存在するインキキーゾーンＮＯ，７〜１４をタッチして選択することで、色調整を行うインキキーゾーンを設定することができる。
【００４２】
色調整量表示画面３２には、４つのインキ色としての墨（Ｋ）、（Ｃ）、紅（Ｍ）、黄（Ｙ）に対応して、画像のインキキーゾーンごとの色調整量を表示する４つの色調整量表示部３６，３７，３８，３９が設けられている。この場合、各色調整量表示部３６，３７，３８，３９における水平線が前回の調整基準値で、今回調整する色調整量の増量が上方に伸びる棒グラフとして表示され、色調整量の減量が下方に伸びる棒グラフとして表示される。また、この色調整量表示画面３２の下方には、調整した各インキ色の調整量を０にリセットするリセットスイッチ４０が設けられている。なお、色調整量表示画面３２でも、画像表示画面３１と同様に、色調整を行うインキキーゾーンを設定することができる。
【００４３】
色調整量操作画面３３には、４つのインキ色としての墨（Ｋ）、藍（Ｃ）、紅（Ｍ）、黄（Ｙ）の色調整量（増量または減量）を設定するための８つの調整スイッチ４１ａ，４１ｂ，４２ａ，４２ｂ，４３ａ，４３，４４ａ，４４ｂが設けられている。また、この色調整量操作画面３３上方には、ユニット別スイッチ４５が設けられると共に、側方には、送信スイッチ４６が設けられている。
【００４４】
従って、画像表示画面３１（または、色調整量表示画面３２）にて、色調整を行うインキキーゾーンが設定されると、オペレータは、色調整量操作画面３３の各調整スイッチ４１ａ，４１ｂ，４２ａ，４２ｂ，４３ａ，４３，４４ａ，４４ｂのいずれかをタッチすることで、各インキ色ごとに色調整の指示値（増減値または減量値）を入力することができる。すると、この各調整スイッチ４１ａ，４１ｂ，４２ａ，４２ｂ，４３ａ，４３ｂ，４４ａ，４４ｂの操作に応じて、その指示値、つまり、インキ成分としての墨（Ｋ）、藍（Ｃ）、紅（Ｍ）、黄（Ｙ）ごとの増減量が色調整量表示画面３２に表示される。この場合、選択したインキキーゾーンごとの色調整作業を複数回行ったときには、インキ成分としての墨（Ｋ）、藍（Ｃ）、紅（Ｍ）、黄（Ｙ）ごとの増減量が加算されて状態で色調整量表示画面３２に表示される。この場合、選択したインキキーゾーンごとの色調整作業を複数回行ったときには、インキ成分としての墨（Ｋ）、藍（Ｃ）、紅（Ｍ）、黄（Ｙ）ごとの増減量が加算されて状態で、即ち、インキ成分ごとの色調整量の総量が色調整量表示画面３２に表示される。そして、送信スイッチ４６を操作することで、この色調整量表示画面３２に表示された色調整量の総量、つまり、インキキー開度を一括送信することができる。
【００４５】
印刷状態表示画面３４には、４つのインキ色としての墨（Ｋ）、（Ｃ）、紅（Ｍ）、黄（Ｙ）に対応して、各インキ供給装置１０２，２０２，３０２，４０２のインキ元ローラ１１０，２１０，３１０，４１０の回転数を表示する回転数表示部４７ａ，４７ｂ，４７ｃ，４７ｄと、インキキー開度を表示するインキキー開度表示部４８ａ，４８ｂ，４８ｃ，４８ｄが設けられている。また、色調整を行うその調整方法を選択する選択スイッチ４９ａ，４９ｂが設けられると共に、濃度差表示部５０ａ，５０ｂ，５０ｃ，５０ｄ、増加スイッチ９１ａ，９１ｂ，９１ｃ，９１ｄ、減少スイッチ９２ａ，９２ｂ，９２ｃ，９２ｄが設けられている。更に、印刷状態表示画面３４には、リセットスイッチ９３、キャンセルスイッチ９４、送信スイッチ９５が設けられている。そして、色調整量表示画面３２には、表示切換スイッチ９６が設けられており、この表示切換スイッチ９６を操作するごとに、画像表示画面３１と印刷状態表示画面３４が切換わって交互に表示される。
【００４６】
従って、印刷状態表示画面３４にて、インキキー開度による色調整方法を選択する場合、選択スイッチ４９ａを操作した後、増加スイッチ９１ａ，９１ｂ，９１ｃ，９１ｄ及び減少スイッチ９２ａ，９２ｂ，９２ｃ，９２ｄを操作することで濃度を調整することができ、また、インキ元ローラによる色調整方法を選択する場合、選択スイッチ４９ｂを操作した後、増加スイッチ９１ａ，９１ｂ，９１ｃ，９１ｄ及び減少スイッチ９２ａ，９２ｂ，９２ｃ，９２ｄを操作することで濃度を調整することができる。このとき、増加スイッチ９１ａ，９１ｂ，９１ｃ，９１ｄ及び減少スイッチ９２ａ，９２ｂ，９２ｃ，９２ｄの操作量に応じた濃度差が濃度表示部５０ａ，５０ｂ，５０ｃ，５０ｄに表示されると共に、インキ元ローラ１１０，２１０，３１０，４１０の回転数が回転数表示部４７ａ，４７ｂ，４７ｃ，４７ｄに表示され、インキキー開度がインキキー開度表示部４８ａ，４８ｂ，４８ｃ，４８ｄに表示される。
【００４７】
本実施例では、上述したように複数のインキキーゾーンを選択し、この選択したインキキーゾーンに対して一括して色調整のための同一の指示値を設定すると、インキキーゾーンごとに異なる最適な色調整が自動的に設定される。即ち、複数のインキキーゾーンに対して色調整のための同一の指示値を設定しても、インキキーゾーンごとに画線率が異なるため、この画線率、インキ元ローラ回転数に応じて異なる最適なインキ供給量、つまり、インキキー開度を設定している。
【００４８】
図５に示すように、処理ブロックＰ２１では、オペレータが色調整量操作画面３３により入力した指示値に基づいて現在のインキ色の濃度との濃度差（インキ膜厚さ）を換算処理する。また、処理ブロックＰ２２では、ＰＰＦデータに基づいてインキキーゾーンごとの画線率を計算する。更に、処理ブロックＰ２３では、インキ供給装置１０２，２０２，３０２，４０２におけるインキ元ローラ回転数を出力する。
【００４９】
そして、処理ブロックＰ２４では、選択された複数のインキキーゾーンにて、各インキキーゾーンごとのインキキー開度変更量を計算する。この場合、画線率とインキ元ローラ回転数を用いて予め設定されたパラメータテーブルにより制御ゲインを設定し、濃度差とこの制御ゲインを用いてインキキー開度変更量を求めている。本実施例では、この計算方法を図５に示すようなマップとし、このマップを用いて画線率に対するインキキー開度変更量を設定する。その後、処理ブロックＰ２５では、現在のインキキー開度に設定したインキキー開度変更量を加算することで、処理ブロックＰ２６にて、修正インキキー開度を設定する。
【００５０】
なお、このインキキー開度を設定する処理にて、本実施例では、画線率に対するインキキー開度変更量を予め設定されたマップを用いて設定するようにしたが、画線率とインキ元ローラ回転数などを用いてパラメータテーブルにより計算式を用いてインキキー開度変更量を求めてもよい。
【００５１】
このとき、本実施例では、図４に示すように、インキ制御装置１１は、選択されたインキキーゾーンの色調整量を指示値に基づいてインキキー開度により設定（第１色調整量設定手段）することができると共に、この色調整量を指示値に基づいてインキ元ローラの回転数により設定（第２色調整量設定手段）することができ、インキキー開度またはインキ元ローラの回転数に基づいてインキ供給量を変更するようにしている。この場合、本実施例にて、本発明の第１色調整量設定手段及び第２色調整量設定手段は、演算装置１２により構成される。
【００５２】
例えば、オペレータにより特定のインキキーゾーンが選択されたとき、演算装置１２は、選択されたインキキーゾーンの色調整量を、指示値と画線率とインキ元ローラの回転数に基づいてインキキーゾーンごとにインキキー開度変更量として設定する。このとき、インキキーゾーンごとのインキキー開度変更量に応じたインキキー開度が１００％または０％であるとき、色調整量を指示値に基づいてインキ元ローラの回転数として変更し、指示値と画線率と変更されたインキ元ローラの回転数に基づいてインキキーゾーンごとにインキキー開度変更量として再設定する。
【００５３】
以下、本実施例のオフセット印刷機におけるインキ制御装置１１によるインキ供給量制御方法について、図７のフローチャートを用いて説明する。インキ制御装置１１によるインキ供給量制御方法において、図７に示すように、ステップＳ１１にて、版胴への刷版の取付やプレインキングなどの印刷前準備が完了すると、ステップＳ１２にて、図示しない試し刷りスイッチを操作することで、ＰＰＦデータに基づいて設定された画像の試し刷りを実施する。この試し刷り作業は、ＰＰＦデータに基づいて設定された基準のインキ供給量により各インキ供給装置１０２，２０２，３０２，４０２のインキキー開度コントローラ及びインキ元ローラ回転コントローラを制御し、印刷ユニット１０１，２０１，３０１，４０１を稼動して実施する。
【００５４】
この試し刷りが終了すると、ステップＳ１３にて、オペレータは、この試し刷りされた印刷画像を目視評価し、色調整作業が必要かどうかを判断する。ここで、試し刷りされた印刷画像に対して色調整作業が不要であると判断した場合には、ステップＳ２６に移行して図示しない本刷りスイッチを操作して本刷りを実施する。一方、試し刷りされた印刷画像に対して色調整作業が必要であると判断した場合には、ステップＳ１４以降で、印刷画像の色調整作業を開始する。
【００５５】
まず、ステップＳ１４にて、操作装置２１の画像表示画面３１にＰＰＦデータに基づいて設定された画像、つまり、果物の絵柄を表示する。次に、ステップＳ１５にて、表示された果物の絵柄にて、所定の果物の色を調整したいときには、オペレータが指先でこの果物が存在するインキキーゾーンＮＯ，７〜１４を選択する。続いて、ステップＳ１６にて、オペレータは、ユニット別スイッチ４５を操作してから、指先で色調整量操作画面３３にて、調整したいインキ色における調整スイッチ４１ａ，４１ｂ，４２ａ，４２ｂ，４３ａ，４３，４４ａ，４４ｂをタッチすることで、色調整のための指示値を入力する。すると、色調整量表示画面３３の色調整量表示部３６，３７，３８，３９に各インキ色の調整量が表示される。このとき、設定した色調整のための指示値を元に戻して調整をやり直したい場合には、リセットスイッチ４０を操作する。
【００５６】
そして、ステップＳ１７では、特定の果物以外に色調整を行う箇所があるかどうかを判断し、その他に色調整を行う箇所がある場合には、ステップＳ１４に戻り、画像表示画面３１における特定のインキキーゾーンを選択し、前述と同様に、色調整量操作画面３３で調整スイッチ４１ａ，４１ｂ，４２ａ，４２ｂ，４３ａ，４３，４４ａ，４４ｂを用いて指示値を入力する。このとき、色調整のために選択したインキキーゾーンがオーバーラップしたときには、最後に調整した指示値が優先して処理される。また、色調整のために選択したインキキーゾーンがオーバーラップしたときには、全ての指示値を平均化して処理してもよい。
【００５７】
一方、ステップＳ１７にて、その他に色調整を行う箇所がない場合には、ステップＳ１８にて、演算装置１２は、色調整の指示値と画線率とインキ元ローラ１０３，２０３，３０３，４０３の回転数に基づいて選択された複数のインキキーゾーンに対応してインキ成分ごとのインキ増減量を算出し、各インキキーゾーンにおけるインキ成分ごとのインキ供給量にこのインキ増減量を加算し、インキ成分ごとのインキ供給量を変更する。そして、このインキ成分ごとのインキ供給量に応じてインキキーゾーンにおけるインキキー１０５，２０５，３０５，４０５の開度変更量を算出し、インキキー１０５，２０５，３０５，４０５の開度を設定する。
【００５８】
ステップＳ１９では、変更後のインキキー１０５，２０５，３０５，４０５の開度が１００％または０％であるかどうかを判定する。即ち、インキキー開度が１００％であるとき、これ以上インキ供給量を増加することができず、また、インキキー開度が０％であるときは、これ以上インキ供給量を減少することができない。ここで、インキキー開度が１００％または０％ではないと判定されたら、ステップＳ２０にて、送信スイッチ４６を操作し、設定したインキキーゾーンごとのインキキー開度を印刷ユニットに一括送信する。このとき、色調整作業を複数回行ったときには、インキ成分としての墨（Ｋ）、藍（Ｃ）、紅（Ｍ）、黄（Ｙ）ごとの増減量が加算されて状態（色調整量の総量）で色調整量表示画面３２に表示され、送信スイッチ４６を操作することで、この色調整量表示画面３２に表示された色調整量の総量に対するインキキー開度を一括送信することができる。
【００５９】
一方、ステップＳ１９にて、変更後のインキキー１０５，２０５，３０５，４０５の開度が１００％または０％であると判定されたら、ステップＳ２２にて、インキ元ローラ１０３，２０３，３０３，４０３における回転数の変更警告を発し、ステップＳ２３にて、インキ元ローラ１０３，２０３，３０３，４０３の回転数を変更可能かどうかを判定する。ここで、インキ元ローラ１０３，２０３，３０３，４０３の回転数を変更すると、インキキー開度の変更による色調整作業が複雑なものになる場合には、インキ元ローラ１０３，２０３，３０３，４０３の回転数を変更できないと判定し、ステップＳ２０に移行する。
【００６０】
一方、インキ元ローラ１０３，２０３，３０３，４０３の回転数を変更しても、インキキー開度の変更による色調整作業が複雑なものにならない場合には、インキ元ローラ１０３，２０３，３０３，４０３の回転数を変更可能であると判定し、ステップＳ２４にて、インキ元ローラ１０３，２０３，３０３，４０３の回転数を指示値に基づいて変更し、ステップＳ２５にて、演算装置１２は、色調整の指示値と画線率と変更されたインキ元ローラ１０３，２０３，３０３，４０３の回転数に基づいて全てのインキキーゾーンに対応したインキキー１０５，２０５，３０５，４０５の開度を再設定する。そして、ステップＳ２０にて、送信スイッチ４６を操作し、設定したインキキーゾーンごとのインキキー開度を印刷ユニットに一括送信する。
【００６１】
ステップＳ２１では、変更されたインキ成分ごとのインキキー開度に基づいて各インキ供給装置１０２，２０２，３０２，４０２における多数のインキキー１０５，２０５，３０５，４０５のインキキー開度を変更する。
【００６２】
その後、ステップＳ１２に戻り、オペレータが試し刷りボタンを操作することで試し刷りを実施する。この試し刷り作業は、色調整作業で変更されたインキ供給量により各インキ供給装置１０２，２０２，３０２，４０２のインキキー開度コントローラ及びインキ元ローラ回転コントローラを制御し、印刷ユニット１０１，２０１，３０１，４０１を稼動して実施する。
【００６３】
２回目の試し刷りが終了すると、ステップＳ１３にて、オペレータは、この試し刷りされた印刷画像を目視評価し、色調整作業が必要かどうかを判断する。ここで、試し刷りされた印刷画像に対して再び色調整作業が必要であると判断した場合には、上述したように、ステップＳ１４以降で、印刷画像の色調整作業を開始する一方、試し刷りされた印刷画像に対して色調整作業が不要であると判断した場合には、ステップＳ２６に移行して本刷りを実施し、作業を完了する。
【００６４】
このように実施例１のインキ制御装置を有するオフセット印刷機にあっては、印刷幅方向に区画された複数のインキキーゾーンごとにインキ供給量を調整可能なインキキー１０５，２０５，３０５，４０５を有するインキ供給装置１０２，２０２，３０２，４０２にて、ＰＰＦデータに基づいた印刷画像を表示する画像表示画面３１からオペレータが色調整を行う複数のインキキーゾーンを選択可能であると共に、色調整量操作画面３３を用いて色調整量の指示値を入力可能な操作装置２１を設け、演算装置１２が、選択された複数のインキキーゾーンの色調整量を指示値に基づいてインキキー開度により設定すると共に、インキ元ローラの回転数により設定し、指示値に基づいて選択された複数のインキキーゾーンにおけるインキ成分ごとの供給量を設定されたインキキー開度またはインキ元ローラの回転数により変更し、変更されたインキ成分ごとの供給量に応じてインキ供給装置１０２，２０２，３０２，４０２を制御するようにしている。
【００６５】
この場合、演算装置１２が、選択された複数のインキキーゾーンにおけるインキ成分ごとの供給量を設定する一方、色調整量の指示値に基づいて選択された複数のインキキーゾーンにおけるインキ成分ごとの増減量を設定し、このインキ成分ごとの供給量に増減量を加算してインキ成分ごとの供給量を変更し、インキキー開度を変更するようにしている。
【００６６】
従って、色調整を行うための選択されたインキキーゾーンに対して指示値を入力すると、指示値に基づいて色調整量をインキキー開度とインキ元ローラの回転数により設定し、このインキキー開度またはインキ元ローラの回転数に応じたインキ供給量を変更することとなり、選択したインキキーゾーンにおけるインキ成分ごとの調整量が自動的に設定され、印刷幅方向に区画された複数のインキ領域ごとのインキ供給量を容易に調整することができ、色調整作業の簡略化を図ることで作業性の向上を図ることができると共に、作業者にかかる負担を軽減することができる。
【００６７】
また、本実施例では、オペレータにより特定のインキキーゾーンが選択されたとき、演算装置１２は、選択されたインキキーゾーンの色調整量を指示値と画線率とインキ元ローラの回転数に基づいてインキキーゾーンごとにインキキー開度変更量として設定し、このインキキー開度変更量に応じたインキキー開度が１００％または０％であるとき、色調整量を指示値に基づいてインキ元ローラの回転数として変更し、指示値と画線率と変更されたインキ元ローラの回転数に基づいてインキキーゾーンごとにインキキー開度変更量として再設定している。
【００６８】
従って、インキキー開度が１００％であるとき、これ以上インキ供給量を増加することができず、また、インキキー開度が０％であるとき、これ以上インキ供給量を減少することができないが、インキ元ローラ１０３，２０３，３０３，４０３における回転数を変更し、演算装置１２が、色調整の指示値と画線率と変更されたインキ元ローラ１０３，２０３，３０３，４０３の回転数に基づいてインキキー開度を再設定することで、インキキー開度変更量に応じたインキキー開度の調整代が十分でなくても、インキ元ローラの回転数を変更することで、オペレータが所望する色調整を適正に実行することができる。
【００６９】
また、本実施例では、画像表示画面３１に表示された画像から色調整を行う２つ以上のインキキーゾーンを選択し、この選択されたインキキーゾーンの色調整量を、一つの指示値と画線率とインキ元ローラの回転数に基づいて各インキキーゾーンごとに異なる最適なものとして設定している。従って、画線率の異なる各インキキーゾーンのインキ供給量を容易に、且つ、短時間で調整することができ、作業性を向上することができる。
【００７０】
この場合、複数のインキキーゾーンを選択し、この選択されたインキキーゾーンに対して同量の色調整量の指示値を指示しても、各インキキーゾーンごとに画像の画線率が相違するため、適正なインキ供給量を設定することができない。そこで、この実施例１では、複数のインキキーゾーンに対して指示された色調整量のための同一の指示値を、画線率とインキ元ローラ回転数、制御ゲインパラメータを用いてインキキーゾーンごとに異なる最適値として計算し、最適なインキ供給量を設定することで適正なインキ供給量を設定することができる。
【００７１】
そして、実施例１のインキ制御装置を有するオフセット印刷機にあっては、４つのインキ色としての墨（Ｋ）、藍（Ｃ）、紅（Ｍ）、黄（Ｙ）に対応して、画像のインキキーゾーンごとの色調整量を表示する４つの色調整量表示部３６，３７，３８，３９を有する色調整量表示画面３２を設け、選択したインキキーゾーンごとの色調整作業を行った全ての調整量を加算し、インキ成分ごとの色調整量の総量としてこの色調整量表示画面３２に表示し、送信スイッチ４６を操作することで、この色調整量表示画面３２に表示された色調整量の総量、つまり、インキキー開度を一括送信するようにしている。従って、色調整量の総量を一括送信することで、インキキーゾーンごとの色調整作業を複数回行ったり、色調整量を訂正したり、リセットしたりすることができ、作業性を向上することができる。
【実施例２】
【００７２】
図９は、本発明の実施例２に係る印刷機におけるインキ制御装置の操作装置を表す概略図、図１０は、実施例２の印刷機におけるインキ制御装置の概略構成図、図１１は、実施例２の印刷機におけるインキ制御装置のインキ供給量制御のフローチャートである。なお、本実施例のオフセット印刷機における全体構成は、上述した実施例１とほぼ同様であり、図４及び図８を用いて説明すると共に、実施例１で説明したものと同様の機能を有する部材には同一の符号を付して重複する説明は省略する。
【００７３】
実施例２のオフセット印刷機は、印刷状態表示画面が上述した実施例１とほぼ同様の構成を有しており、操作装置のみが相違している。即ち、実施例２のインキ制御装置を有するオフセット印刷機において、図９に示すように、本実施例のオフセット印刷機を操作する操作装置５１は、指先で画面をタッチすることで操作可能なタッチパネル式のディスプレスであって、ＰＰＦデータに基づいた印刷絵柄画像をインキキーゾーンに区画して表示する画像表示画面３１と、設定された色調整量をインキキーゾーンごとに表示する色調整量表示画面３２と、色調整量を行う色調整量操作画面５２とを有している。
【００７４】
画像表示画面３１は、ＰＰＦデータに基づいた印刷画像を表示することができ、この画像表示画面３１の側方には、印刷シートの表と裏を選択するシート選択スイッチ３４ａ，３４ｂと、４つのインキ色としての墨（Ｋ）、藍（Ｃ）、紅（Ｍ）、黄（Ｙ）単独で画像を表示するための色選択スイッチ３５が設けられている。また、画像表示画面３１の側方には、この画像表示画面３１に表示された画像における代表画像（代表色）を選択する代表色選択スイッチ５３が設けられると共に、選択された代表色を記憶して表示する５つの代表色表示部（記憶部）５４ａ，５４ｂ，５４ｃ，５４ｄ，５４ｅが設けられている。
【００７５】
従って、例えば、画像表示画面３１には、多数の果物がバスケットに入れられた画像が表示されており、この果物の画像にて、ある特定の果物の色を調整したいとき、オペレータは、指先で色調整したい果物が存在するインキキーゾーンＮＯ，７〜１４をタッチして選択することで、色調整を行うインキキーゾーンを設定することができる。そして、果物の特定の箇所を色調整したいときには、代表色選択スイッチ５３をタッチしてから、この果物の特定の箇所（代表画像）を指先でタッチすることで、この特定の箇所の画像が５つの代表色表示部５４ａ，５４ｂ，５４ｃ，５４ｄ，５４ｅのうちの一つに表示されて記憶することができる。この場合、５つの代表画像を記憶させることができる。また、果物の特定の箇所（代表画像）を指先でタッチしてから代表色選択スイッチ５３をタッチしても、この特定の箇所の画像を代表色表示部５４ａ，５４ｂ，５４ｃ，５４ｄ，５４ｅに表示して記憶することができる。
【００７６】
色調整量表示画面３２には、４つのインキ色としての墨（Ｋ）、（Ｃ）、紅（Ｍ）、黄（Ｙ）に対応して、画像のインキキーゾーンごとの色調整量を表示する４つの色調整量表示部３６，３７，３８，３９が設けられている。また、この色調整量表示画面３２の下方には、調整した各インキ色の調整量を０にリセットするリセットスイッチ４０と、画像表示画面３１と印刷状態表示画面３４（図２参照）とを切換えて表示する表示切換スイッチ９６が設けられている。
【００７７】
色調整量操作画面５２には、３つのインキ色としての藍（Ｃ）、紅（Ｍ）、黄（Ｙ）の色調整量を設定するための色調整装置５５が設けられている。この色調整装置５５は、リング状をなす円環５６の内側と外側に設けられ、藍（Ｃ）、紅（Ｍ）、黄（Ｙ）の色調整量を増減する調整スイッチ５７ａ，５７ｂ，５８ａ，５８ｂ，５９ａ，５９ｂと、藍（Ｃ）、紅（Ｍ）、黄（Ｙ）の中間色である青（Ｂｌｕｅ）、赤（Ｒｅｄ）、緑（Ｇｒｅｅｎ）の色調整量を増減する調整スイッチ６０ａ，６０ｂ，６１ａ，６１ｂ，６２ａ，６２ｂとから構成されている。そして、円環５６の中央部に、藍（Ｃ）、紅（Ｍ）、黄（Ｙ）の色調整量をグラフ表示するグラフ表示部６３が設けられると共に、円環５６内に、この色調整度合を表示する度合表示部６４が設けられている。
【００７８】
また、この色調整装置５５の側方には、藍（Ｃ）、紅（Ｍ）、黄（Ｙ）、墨（Ｋ）に対応した選択スイッチ６５ａ，６５ｂ，６５ｃ，６５ｄが設けられると共に、各色の制御量（調整量）を表示する制御量表示部６６ａ，６６ｂ，６６ｃ，６６ｄが設けられている。そして、これに隣接して藍（Ｃ）、紅（Ｍ）、黄（Ｙ）を同量増減、つまり、濃度を調整する濃度調整スイッチ６７ａ，６７ｂが設けられると共に、藍（Ｃ）、紅（Ｍ）、黄（Ｙ）、墨（Ｋ）を個別に増減する個別調整スイッチ６８ａ，６８ｂが設けられている。
【００７９】
更に、色調整装置５５の側方には、色調整操作を行う前の代表色（印刷色、代表画像）を表示する操作前表示部（調整前表示部）６９と、色調整操作を行った後の代表色（代表画像）を表示する操作後表示部（調整後表示部）７０が設けられている。この場合、操作前表示部６９にはＰＰＦデータに基づく代表色を表示することができ、操作後表示部７０には色調整装置５５で調整している代表色を表示することができる。また、操作前表示部６９及び操作後表示部７０に表示される代表色は、上述した代表色選択スイッチ５３で選択した代表画像の代表色であり、操作前表示部６９の上方には、この代表画像における各色の面積率を表示する面積率表示部７１が設けられている。
【００８０】
また、色調整量操作画面５２には、この代表画像にて、操作前表示部６９に表示された調整前の印刷色と操作後表示部７０に表示され調整後の印刷色との色の違いを、ＣＩＥＬＡＢ色空間での偏差値を用いて表示する色差表示部７２が設けられている。この色差表示部７２には、ＣＩＥＬＡＢ色空間におけるａ軸方向の偏差Δａ、ｂ軸方向における偏差Δｂ、このａとｂとＬの色差ΔＥ、ａ軸とｂ軸に交差するＬ軸方向の偏差ΔＬ（または、明度）、色相の偏差ΔＨが表示される。また、色調整量操作画面５２の上方には、カラーバランススイッチ７３が設けられると共に、側方には、登録スイッチ７４とリセットスイッチ７５と送信スイッチ４６が設けられている。
【００８１】
従って、画像表示画面３１（または、色調整量表示画面３２）にて、色調整を行うインキキーゾーンが設定され、代表色選択スイッチ５３により代表画像が選択されると、オペレータは、色調整量操作画面５２の調整スイッチ５７ａ，５７ｂ，５８ａ，５８ｂ，５９ａ，５９ｂや調整スイッチ６０ａ，６０ｂ，６１ａ，６１ｂ，６２ａ，６２ｂのいずれかをタッチすることで、各インキ色（藍、紅、黄）ごと、または、その中間色（青、赤、緑）ごとに色調整の指示値（増減値または減量値）を入力することができる。この場合、例えば、赤に対応した調整スイッチ６１ａ，６１ｂを操作すると、インキ色の紅と黄を同時に調整することで、操作負荷が低減される。すると、この各調整スイッチ５７ａ，５７ｂ，５８ａ，５８ｂ，５９ａ，５９ｂ、６０ａ，６０ｂ，６１ａ，６１ｂ，６２ａ，６２ｂの操作に応じて、その指示値、つまり、インキ成分としての墨（Ｋ）、藍（Ｃ）、紅（Ｍ）、黄（Ｙ）ごとの増減量が制御量表示部６６ａ，６６ｂ，６６ｃ，６６ｄに数値として表示されると共に、色調整量表示画面３２に棒グラフとして表示される。
【００８２】
また、色調整量操作画面５２にて、操作前表示部６９にはＰＰＦデータに基づく代表画像の代表色が表示されると共に、操作後表示部７０には色調整装置５５で調整している代表画像の代表色が表示されており、オペレータは、この操作前表示部６９と操作後表示部７０に表示された各代表色を比較しながら色調整を行うことができる。更に、オペレータは、目安として、制御量表示部６６ａ，６６ｂ，６６ｃ，６６ｄ、面積率表示部７１、色差表示部７２を見ながら色調整を行うことができる。
【００８３】
なお、複数のインキキーゾーンや複数の代表画像に対して色調整を行う場合、その都度、登録スイッチ７４を操作することで、そのときの色調整量の指示値を色調整量表示画面３２に記憶させることができ、リセットスイッチ７５を操作することで、そのときの色調整量の指示値をキャンセルすることができる。
【００８４】
次に、上述した操作装置５１により制御されるインキ制御装置１１の処理について詳細に説明する。オペレータが操作装置５１により色調整の指示値（増減量）を入力すると、この色調整の指示値がインキ制御装置１１の演算装置１２に出力され、ここで、インキ成分ごとのインキ供給量が設定される。
【００８５】
即ち、図１０に示すように、処理ブロックＰ３１では、操作装置２１の画像表示画面３１で代表点（代表画像）が選択されると、ＰＰＦデータから代表点の網点面積率データを取得し、網点面積率と分光反射率との関係を記載した発光テーブルを用いて分光反射率を演算し、標準色の色彩値（Ｌａｂ値等）を計算する。そして、処理ブロックＰ３２では、求めた代表点の分光反射率に基づいてインキ成分ごとのインキ供給量を算出する。
【００８６】
この調整前のインキ成分ごとのインキ供給量は、下記数式１を用いて算出する。即ち、即ち、上述のように求めた代表点の網点面積率における分光反射率を用い、分光反射率を分光濃度に変換し、代表点の網点面積率から基準となる単色の分光網濃度を決定して下記数式１に代入する。そして、この数式１を用いて重回帰計算を行うことにより、インキ成分ごとのインキ成分量tc，tm，ty，tｋを計算する。
【００８７】
【数１】
2008119854.tif 000003
【００８８】
一方、オペレータは、操作装置５１における色調整量操作画面５２の操作前表示部６９及び操作後表示部７０を見て目視評価を行い、指示値の決定を行う。処理ブロックＰ３３にて、操作装置５１の色調整装置５５を用いて色調整の指示値を入力する。すると、処理ブロックＰ３４では、色調整の指示値に基づいてインキ成分ごとのインキ増減量を設定（インキ増減量設定部１７）する。処理ブロックＰ３５では，前述のように求めたインキ成分量tc，tm，ty，tｋにインキ成分増減量を加算（インキ増減量加算部１８）し、これを用いて処理ブロックＰ３６を用いてインキ成分量から分光反射率に逆算し、色調整後の代表色が計算され、操作後表示部７０に表示される。前述のように求めた標準色の色彩値と調整後の色彩値との差（ＣＩＥＬＡＢ色空間におけるａ軸方向の偏差Δａ、ｂ軸方向における偏差Δｂ、このａとｂとＬとの色差ΔＥ、ａ軸とｂ軸に交差するＬ軸方向の偏差ΔＬ（または、明度）、色相の偏差ΔＨが表示される。これらの値を参考に指示値を決定することも可能である．一方、処理ブロックＰ３７では、変更されたインキ成分ごとのインキ供給量に応じて各インキ供給装置１０２，２０２，３０２，４０２における多数のインキキー１０５，２０５，３０５，４０５が供給するインキ供給量を制御（インキ供給量制御部１９）する。
【００８９】
以下、本実施例のオフセット印刷機におけるインキ制御装置１１によるインキ供給量制御方法について、図１１のフローチャートを用いて説明する。インキ制御装置１１によるインキ供給量制御方法において、図１２に示すように、ステップＳ３１にて、版胴への刷版の取付やプレインキングなどの印刷前準備が完了すると、ステップＳ３２にて、図示しない試し刷りスイッチを操作することで、ＰＰＦデータに基づいて設定された画像の試し刷りを実施する。この試し刷り作業は、ＰＰＦデータに基づいて設定された基準のインキ供給量により各インキ供給装置１０２，２０２，３０２，４０２のインキキー開度コントローラ及びインキ元ローラ回転コントローラを制御し、印刷ユニット１０１，２０１，３０１，４０１を稼動して実施する。
【００９０】
この試し刷りが終了すると、ステップＳ３３にて、オペレータは、この試し刷りされた印刷画像を目視評価し、色調整作業が必要かどうかを判断する。ここで、試し刷りされた印刷画像に対して色調整作業が不要であると判断した場合には、ステップＳ４６に移行して図示しない本刷りスイッチを操作して本刷りを実施する。一方、試し刷りされた印刷画像に対して色調整作業が必要であると判断した場合には、ステップＳ３４以降で、印刷画像の色調整作業を開始する。
【００９１】
まず、ステップＳ３４にて、操作装置５１の画像表示画面３１にＰＰＦデータに基づいて設定された画像、つまり、果物の絵柄を表示する。次に、ステップＳ３５にて、表示された果物の絵柄にて、所定の果物の色を調整したいときには、オペレータが指先でこの果物が存在するインキキーゾーンＮＯ，７〜１４を選択する。続いて、ステップＳ３６にて、選択したインキキーゾーンにおける果物の特定の箇所を色調整したいときには、代表色選択スイッチ５３をタッチしてから、オペレータが指先で果物における特定の箇所（代表画像）をタッチする。すると、この選択した果物の特定の箇所の画像（色）が、例えば、代表色表示部５４ａに表示されて記憶される。そして、ステップＳ３７にて、操作前表示部６９に、ＰＰＦデータに基づく代表画像の代表色が標準色として表示される。
【００９２】
ステップＳ３８では、オペレータが、カラーバランススイッチ７３を操作してから、指先で色調整量操作画面５２の色調整装置５５にて、各調整スイッチ５７ａ，５７ｂ，５８ａ，５８ｂ，５９ａ，５９ｂ，６０ａ，６０ｂ，６１ａ，６１ｂ，６２ａ，６２ｂをタッチすることで、色調整のための指示値を入力する。すると、ステップＳ３９にて操作後表示部７０にこの色調整装置５５で調整している代表画像の代表色が表示される。このとき、設定した色調整のための指示値を元に戻して調整をやり直したい場合には、リセットスイッチ４０を操作する。
【００９３】
ステップＳ４０では、オペレータが操作前表示部６９に表示された操作前の色と操作後表示部７０に表示された調整後の色とを比較し、オペレータの調整意図が十分に反映されているかどうかを判断する。ここで、操作後表示部７０に表示された調整後の色がオペレータの調整意図を十分に反映したものであると判断したときには、ステップＳ４１にて、登録スイッチ７４を操作して確定すると、色調整量表示画面５２の色調整量表示部３６，３７，３８，３９に各インキ色の調整量が表示される。一方、ステップＳ４０にて、操作後表示部７０に表示された調整後の色がオペレータの調整意図を十分に反映したものではないと判断したときには、ステップＳ３７に戻って色調整作業を繰り返し行う。この場合、十分に経験のあるオペレータが色調整作業を行う場合、代表色の選択を行わなくとも、各調整スイッチ５７ａ，５７ｂ，５８ａ，５８ｂ，５９ａ，５９ｂ，６０ａ，６０ｂ，６１ａ，６１ｂ，６２ａ，６２ｂを操作することで色調整作業を行うことが可能である。
【００９４】
ステップＳ４２では、特定の果物以外に色調整を行う箇所があるかどうかを判断し、その他に色調整を行う箇所がある場合には、ステップＳ３４に戻り、画像表示画面３１における特定のインキキーゾーンを選択し、前述と同様に、色調整量操作画面５２で色調整装置５５を用いて指示値を入力する。このとき、色調整のために選択したインキキーゾーンがオーバーラップしたときには、最後に調整した指示値が優先して処理される。
【００９５】
一方、ステップＳ４２にて、その他に色調整を行う箇所がない場合には、ステップＳ４３にて、演算装置１２は、色調整の指示値に基づいて選択された複数のインキキーゾーンに対応してインキ成分ごとのインキ増減量を算出し、各インキキーゾーンにおけるインキ成分ごとのインキ供給量にこのインキ増減量を加算し、インキ成分ごとのインキ供給量を変更する。そして、このインキ成分ごとのインキ供給量に応じてインキキーゾーンにおけるインキキー１０５，２０５，３０５，４０５の開度変更量を算出し、インキキー開度を設定する。そして、ステップＳ４４にて、送信スイッチ４６を操作し、設定したインキキーゾーンごとのインキキー開度を一括して送信する。ステップＳ４５では、変更されたインキ成分ごとのインキキー開度に基づいて各インキ供給装置１０２，２０２，３０２，４０２における多数のインキキー１０５，２０５，３０５，４０５のインキキー開度を変更する。
【００９６】
その後、ステップＳ３２に戻り、オペレータが試し刷りボタンを操作することで試し刷りを実施する。この試し刷り作業は、色調整作業で変更されたインキ供給量により各インキ供給装置１０２，２０２，３０２，４０２のインキキー開度コントローラ及びインキ元ローラ回転コントローラを制御し、印刷ユニット１０１，２０１，３０１，４０１を稼動して実施する。
【００９７】
２回目の試し刷りが終了すると、ステップＳ３３にて、オペレータは、この試し刷りされた印刷画像を目視評価し、色調整作業が必要かどうかを判断する。ここで、試し刷りされた印刷画像に対して再び色調整作業が必要であると判断した場合には、上述したように、ステップＳ３４以降で、印刷画像の色調整作業を開始する。このとき、色調整する画像が代表色表示部５４ａに記憶されているときには、この代表色表示部５４ａをタッチすることで色調整する代表画像が自動的に選択される。一方、試し刷りされた印刷画像に対して色調整作業が不要であると判断した場合には、ステップＳ４６に移行して本刷りを実施し、作業を完了する。
【００９８】
このように実施例２のインキ制御装置を有するオフセット印刷機にあっては、ＰＰＦデータに基づいた画像をインキキーゾーンに区画して表示する画像表示画面３１と、設定された色調整量をインキキーゾーンごとに表示する色調整量表示画面３２と、色調整量を行う色調整量操作画面５２とを有する操作装置５１を設け、画像表示画面３１に表示された画像から色調整を行うインキキーゾーンを選択し、色調整量操作画面５２により選択されたインキキーゾーンの色調整量をインキキーゾーンごとに設定している。
【００９９】
従って、色調整を行うための選択された複数のインキキーゾーンに対する色調整量の指示値を入力すると、この各インキキーゾーンごとのインキ成分の増減量が設定されることとなり、印刷幅方向に区画された複数のインキキーゾーンごとのインキ供給量を容易に調整することができ、色調整作業の簡略化を図ることで作業性の向上を図ることができると共に、作業者にかかる負担を軽減することができる。
【０１００】
また、本実施例では、画像表示画面３１に表示された印刷画像における代表画像（代表色）を選択する代表色選択スイッチ５３を設けると共に、選択された代表色を記憶して表示する代表色表示部５４ａ，５４ｂ，５４ｃ，５４ｄ，５４ｅを設けている。従って、インキキーゾーンにおける代表画像を選択することで、特に色調整したい所定箇所の所定の色を容易に調整することができ、また、選択した代表画像を記憶することで、同じ箇所の画素の色調整を繰り返し容易に行うことができる。
【０１０１】
更に、本実施例では、色調整量操作画面５２の操作前表示部６９に色調整前の代表色を表示し、色調整装置５５を操作して色調整の指示値を入力すると、操作前表示部７０に色調整後の代表色が表示されるようにしている。従って、操作前表示部６９に表示された色調整前の代表色と、操作前表示部７０に表示された色調整後の代表色とを比較することで、オペレータの調整意図が反映されたかどうかを確認することができ、試し刷りの実施回数を減少させて印刷時間を短縮することができると共に、作業コストを低減することができる。
【０１０２】
また、本実施例では、色調整量操作画面５２で選択された代表画像にて、画像情報に基づいた調整前の印刷色と色調整量に基づいた調整後の印刷色との色の違いを、ＣＩＥＬＡＢ色空間での偏差値を用いて表示する色差表示部７２を設けている。従って、オペレータは、色差表示部７２の偏差値を確認しながら印刷色の色調整を行うことができ、作業性を向上することができる。
【実施例３】
【０１０３】
図１２は、本発明の実施例３に係る印刷機におけるインキ制御装置の操作装置を表す概略図、図１３は、実施例３の印刷機におけるインキ制御装置のインキ供給量制御のフローチャートである。なお、本実施例のオフセット印刷機における全体構成は、上述した実施例１とほぼ同様であり、図４及び図８を用いて説明すると共に、実施例１で説明したものと同様の機能を有する部材には同一の符号を付して重複する説明は省略する。
【０１０４】
実施例３のオフセット印刷機は、印刷状態表示画面が上述した実施例１とほぼ同様の構成を有しており、操作装置のみが相違している。即ち、実施例３のインキ制御装置を有するオフセット印刷機において、図１２に示すように、本実施例のオフセット印刷機を操作する操作装置８１は、指先で画面をタッチすることで操作可能なタッチパネル式のディスプレスであって、ＰＰＦデータに基づいた印刷絵柄画像をインキキーゾーンに区画して表示する画像表示画面３１と、設定された色調整量をインキキーゾーンごとに表示する色調整量表示画面３２と、色調整量を行う色調整量操作画面８２とを有している。
【０１０５】
画像表示画面３１は、ＰＰＦデータに基づいた印刷画像を表示することができ、この画像表示画面３１の側方には、印刷シートの表と裏を選択するシート選択スイッチ３４ａ，３４ｂと、４つのインキ色としての墨（Ｋ）、藍（Ｃ）、紅（Ｍ）、黄（Ｙ）単独で画像を表示するための色選択スイッチ３５と、画像表示画面３１に表示された画像における代表画像（代表色）を選択する代表色選択スイッチ５３と、選択された代表色を記憶して表示する５つの代表色表示部（記憶部）５４ａ，５４ｂ，５４ｃ，５４ｄ，５４ｅが設けられている。
【０１０６】
従って、オペレータは、指先で色調整したい果物が存在するインキキーゾーンＮＯ，７〜１４をタッチして選択することで、色調整を行うインキキーゾーンを設定することができ、代表色選択スイッチ５３をタッチしてから、この果物の特定の箇所（代表画像）を指先でタッチすることで、この特定の箇所の画像が５つの代表色表示部５４ａ，５４ｂ，５４ｃ，５４ｄ，５４ｅのうちの一つに表示されて記憶することができる。
【０１０７】
色調整量表示画面３２には、４つのインキ色としての墨（Ｋ）、藍（Ｃ）、紅（Ｍ）、黄（Ｙ）に対応して、画像のインキキーゾーンごとの色調整量を表示する４つの色調整量表示部３６，３７，３８，３９と、調整した各インキ色の調整量を０にリセットするリセットスイッチ４０と、画像表示画面３１と印刷状態表示画面３４（図２参照）とを切換えて表示する表示切換スイッチ９６が設けられている。
【０１０８】
色調整量操作画面８２には、各インキ色としての藍（Ｃ）、紅（Ｍ）、黄（Ｙ）に対応して、色相、明度、彩度に基づいて色調整量を設定するための色調整装置８３が設けられている。この色調整装置８３は、色相、明度、彩度の色調整量を増減する調整スイッチ８４ａ，８４ｂ，８５ａ，８５ｂ，８６ａ，８６ｂにより構成されている。そして、各調整スイッチ８４ａ，８４ｂ，８５ａ，８５ｂ，８６ａ，８６ｂの中央部には、色調整操作を行う前の代表色（代表画像）を表示する操作前表示部８７と、色調整操作を行った後の代表色（代表画像）を表示する操作後表示部８８が設けられている。この場合、操作前表示部８７にはＰＰＦデータに基づく代表色を表示することができ、操作後表示部８８には色調整装置５５で調整している代表色を表示することができる。
【０１０９】
色調整量操作画面８２には、代表画像における各色の面積率を表示する面積率表示部７１が設けられている。また、色調整量操作画面８２には、代表画像にて、操作前表示部６９に表示された調整前の印刷色と操作後表示部７０に表示され調整後の印刷色との色の違いを、ＣＩＥＬＡＢ色空間での偏差値を用いて表示する色差表示部７２が設けられている。
【０１１０】
なお、この色調整装置５５の側方には、藍（Ｃ）、紅（Ｍ）、黄（Ｙ）、墨（Ｋ）に対応した選択スイッチ６５ａ，６５ｂ，６５ｃ，６５ｄと、各色の制御量（調整量）を表示する制御量表示部６６ａ，６６ｂ，６６ｃ，６６ｄと、藍（Ｃ）、紅（Ｍ）、黄（Ｙ）を同量増減、つまり、濃度を調整する濃度調整スイッチ６７ａ，６７ｂと、藍（Ｃ）、紅（Ｍ）、黄（Ｙ）、墨（Ｋ）を個別に増減する個別調整スイッチ６８ａ，６８ｂが設けられている。
【０１１１】
また、色調整量操作画面８２の上方には、色相、明度、彩度スイッチ８９が設けられると共に、側方には、登録スイッチ７４とリセットスイッチ７５と送信スイッチ４６が設けられている。
【０１１２】
従って、画像表示画面３１（または、色調整量表示画面３２）にて、色調整を行うインキキーゾーンが設定され、代表色選択スイッチ５３により代表画像が選択されると、オペレータは、色調整量操作画面８２における色調整装置８３の調整スイッチ８４ａ，８４ｂ，８５ａ，８５ｂ，８６ａ，８６ｂのいずれかをタッチすることで、色相、明度、彩度ごとに色調整の指示値（増減値または減量値）を入力することができる。すると、この各調整スイッチ８４ａ，８４ｂ，８５ａ，８５ｂ，８６ａ，８６ｂの操作に応じて、その指示値、つまり、インキ成分としての墨（Ｋ）、藍（Ｃ）、紅（Ｍ）、黄（Ｙ）ごとの増減量が制御量表示部６６ａ，６６ｂ，６６ｃ，６６ｄに数値として表示されると共に、色調整量表示画面３２に棒グラフとして表示される。
【０１１３】
また、色調整量操作画面８２にて、操作前表示部８７にはＰＰＦデータに基づく代表画像の代表色が表示されると共に、操作後表示部８８には色調整装置８３で調整している代表画像の代表色が表示されており、オペレータは、この操作前表示部８７と操作後表示部８８に表示された各代表色を比較しながら色調整を行うことができる。更に、オペレータは、目安として、制御量表示部６６ａ，６６ｂ，６６ｃ，６６ｄ、面積率表示部７１、色差表示部７２を見ながら色調整を行うことができる。
【０１１４】
以下、本実施例のオフセット印刷機におけるインキ制御装置１１によるインキ供給量制御方法について、図１３のフローチャートを用いて説明する。インキ制御装置１１によるインキ供給量制御方法において、図１３に示すように、ステップＳ５１にて、版胴への刷版の取付やプレインキングなどの印刷前準備が完了すると、ステップＳ５２にて、図示しない試し刷りスイッチを操作することで、ＰＰＦデータに基づいて設定された画像の試し刷りを実施する。この試し刷り作業は、ＰＰＦデータに基づいて設定された基準のインキ供給量により各インキ供給装置１０２，２０２，３０２，４０２のインキキー開度コントローラ及びインキ元ローラ回転コントローラを制御し、印刷ユニット１０１，２０１，３０１，４０１を稼動して実施する。
【０１１５】
この試し刷りが終了すると、ステップＳ５３にて、オペレータは、この試し刷りされた印刷画像を目視評価し、色調整作業が必要かどうかを判断する。ここで、試し刷りされた印刷画像に対して色調整作業が不要であると判断した場合には、ステップＳ６６に移行して図示しない本刷りスイッチを操作して本刷りを実施する。一方、試し刷りされた印刷画像に対して色調整作業が必要であると判断した場合には、ステップＳ５４以降で、印刷画像の色調整作業を開始する。
【０１１６】
まず、ステップＳ５４にて、操作装置８１の画像表示画面３１にＰＰＦデータに基づいて設定された画像、つまり、果物の絵柄を表示する。次に、ステップＳ５５にて、表示された果物の絵柄にて、所定の果物の色を調整したいときには、オペレータが指先でこの果物が存在するインキキーゾーンＮＯ，７〜１４を選択する。続いて、ステップＳ５６にて、選択したインキキーゾーンにおける果物の特定の箇所を色調整したいときには、代表色選択スイッチ５３をタッチしてから、オペレータが指先で果物における特定の箇所（代表画像）をタッチする。すると、この選択した果物の特定の箇所の画像（色）が、例えば、代表色表示部５４ａに表示されて記憶される。そして、ステップＳ５７にて、操作前表示部８７に、ＰＰＦデータに基づく代表画像の代表色が標準色として表示される。
【０１１７】
ステップＳ５８では、オペレータが、色相・明度、彩度スイッチ８９を操作してから、指先で色調整量操作画面８２の色調整装置８３にて、各調整スイッチ８４ａ，８４ｂ，８５ａ，８５ｂ，８６ａ，８６ｂをタッチすることで、色調整のための指示値を入力する。すると、ステップＳ５９にて、操作後表示部８８にこの色調整装置８３で調整している代表画像の代表色が表示される。このとき、設定した色調整のための指示値を元に戻して調整をやり直したい場合には、リセットスイッチ４０を操作する。
【０１１８】
ステップＳ６０では、オペレータが操作前表示部８７表示された操作前の色と操作後表示部８８に表示された調整後の色とを比較し、オペレータの調整意図が十分に反映されているかどうかを判断する。ここで、操作後表示部８８に表示された調整後の色がオペレータの調整意図を十分に反映したものであると判断したときには、ステップＳ６１にて、登録スイッチ７４を操作して確定すると、色調整量表示画面３３の色調整量表示部３６，３７，３８，３９に各インキ色の調整量が表示される。一方、ステップＳ６０にて、操作後表示部８８に表示された調整後の色がオペレータの調整意図を十分に反映したものではないと判断したときには、ステップＳ３７に戻って色調整作業を繰り返し行う。
【０１１９】
ステップＳ６２では、特定の果物以外に色調整を行う箇所があるかどうかを判断し、その他に色調整を行う箇所がある場合には、ステップ３４に戻り、画像表示画面３１における特定のインキキーゾーンを選択し、前述と同様に、色調整量操作画面８２で色調整装置８３を用いて指示値を入力する。このとき、色調整のために選択したインキキーゾーンがオーバーラップしたときには、最後に調整した指示値が優先して処理される。
【０１２０】
一方、ステップＳ６２にて、その他に色調整を行う箇所がない場合には、ステップＳ６３にて、演算装置１２は、色調整の指示値に基づいて選択された複数のインキキーゾーンに対応してインキ成分ごとのインキ増減量を算出し、各インキキーゾーンにおけるインキ成分ごとのインキ供給量にこのインキ増減量を加算し、インキ成分ごとのインキ供給量を変更する。そして、このインキ成分ごとのインキ供給量に応じてインキキーゾーンにおけるインキキー１０５，２０５，３０５，４０５の開度変更量を算出し、インキキー開度を設定する。そして、ステップＳ６４にて、送信スイッチ４６を操作し、設定したインキキーゾーンごとのインキキー開度を一括して送信する。ステップＳ６５では、変更されたインキ成分ごとのインキキー開度に基づいて各インキ供給装置１０２，２０２，３０２，４０２における多数のインキキー１０５，２０５，３０５，４０５のインキキー開度を変更する。
【０１２１】
その後、ステップ５２に戻り、オペレータが試し刷りボタンを操作することで試し刷りを実施する。この試し刷り作業は、色調整作業で変更されたインキ供給量により各インキ供給装置１０２，２０２，３０２，４０２のインキキー開度コントローラ及びインキ元ローラ回転コントローラを制御し、印刷ユニット１０１，２０１，３０１，４０１を稼動して実施する。
【０１２２】
２回目の試し刷りが終了すると、ステップ５３にて、オペレータは、この試し刷りされた印刷画像を目視評価し、色調整作業が必要かどうかを判断する。ここで、試し刷りされた印刷画像に対して再び色調整作業が必要であると判断した場合には、上述したように、ステップ５４以降で、印刷画像の色調整作業を開始する。このとき、色調整する画像が代表色表示部５４ａに記憶されているときには、この代表色表示部５４ａをタッチすることで色調整する代表画像が自動的に選択される。一方、試し刷りされた印刷画像に対して色調整作業が不要であると判断した場合には、ステップＳ６６に移行して本刷りを実施し、作業を完了する。
【０１２３】
このように実施例３のインキ制御装置を有するオフセット印刷機にあっては、ＰＰＦデータに基づいた画像をインキキーゾーンに区画して表示する画像表示画面３１と、設定された色調整量をインキキーゾーンごとに表示する色調整量表示画面３２と、色調整量を行う色調整量操作画面８２とを有する操作装置８１を設け、画像表示画面３１に表示された画像から色調整を行うインキキーゾーンを選択し、色調整量操作画面８２により選択されたインキキーゾーンの色調整量を各インキキーゾーンごとに設定している。
【０１２４】
従って、色調整を行うための選択された複数のインキキーゾーンに対する色調整量の指示値を入力すると、この各インキキーゾーンごとのインキ成分の増減量が設定されることとなり、印刷幅方向に区画された複数のインキキーゾーンごとのインキ供給量を容易に調整することができ、色調整作業の簡略化を図ることで作業性の向上を図ることができると共に、作業者にかかる負担を軽減することができる。
【０１２５】
また、本実施例では、色調整量操作画面８２に、各インキ色としての藍（Ｃ）、紅（Ｍ）、黄（Ｙ）に対応して、色相、明度、彩度に基づいて色調整量を設定するための色調整装置８３を設けている。従って、画像表示画面３１にて、色調整を行うインキキーゾーンを設定し、代表色選択スイッチ５３により代表画像が選択されると、オペレータは、色調整装置８３の調整スイッチ８４ａ，８４ｂ，８５ａ，８５ｂ，８６ａ，８６ｂをタッチすることで、色相、明度、彩度ごとに色調整の指示値を入力することができる。また、このとき、操作前表示部８７に色調整前の代表色を表示し、操作前表示部８８に色調整後の代表色を表示することで、操作前表示部６９に表示された色調整前の代表色と、操作前表示部７０に表示された色調整後の代表色とを比較しながら、オペレータの調整意図が反映されたかどうかを確認することができる。そのため、試し刷りの実施回数を減少させて印刷時間を短縮することができると共に、作業コストを低減することができる。
【０１２６】
なお、上述した実施例１では、ユニット別スイッチ４５を操作してから色調整用操作画面３３で４つのインキ色に対応したスイッチにより色調整し、実施例２では、カラーバランススイッチ７３を操作してから色調整用操作画面５２で円環状に配置された４つのインキ色及びその中間色に対応したスイッチにより色調整し、実施例３では、色相・明度・彩度スイッチ８９を操作してから色調整用操作画面８２の色相・明度・彩度スイッチにより色調整している。この場合、各実施例１〜３を適宜組み合わせることで、各機能またはいずれかの機能を有する操作装置とし、オペレータの意図に応じて選択的に使用できるように構成してもよい。
【実施例４】
【０１２７】
図１４は、本発明の実施例４に係る印刷機におけるインキ制御装置のインキ供給量制御のフローチャートである。なお、本実施例のオフセット印刷機における全体構成は、上述した実施例１とほぼ同様であり、図１乃至図４及び図８を用いて説明すると共に、実施例１で説明したものと同様の機能を有する部材には同一の符号を付して重複する説明は省略する。
【０１２８】
実施例４のオフセット印刷機は、装置構成が上述した実施例１とほぼ同様の構成を有している。即ち、実施例４のインキ制御装置を有するオフセット印刷機では、図１乃至図４及び図８に示すように、試し刷りされた印刷物に対してオペレータが色調整をするとき、色調整のための一つの指示値を入力すると、色調整を行う全てのインキキーゾーン（インキ領域）のインキ成分ごとの増減量を自動的に算出し、印刷標準データに基づいて設定されたインキ成分ごとの供給量に対して、このインキ成分ごとの増減量を加算してインキ成分ごとのインキ供給量、つまり、インキキー開度を設定するようにしている。
【０１２９】
即ち、本実施例のオフセット印刷機におけるインキ制御装置の装置構成において、図３及び図４に示すように、インキ制御装置１１は、インキキーゾーンごとの色調整量を設定する演算装置１２を有しており、第１パラレルパスラインＰ１を介して印刷ユニット１０１，２０１，３０１，４０１に接続されている。この演算装置１２は、基準インキ供給量設定部１６、インキ増減量設定部１７、インキ増減量加算部１８、インキ供給量制御部１９を有している。
【０１３０】
また、このインキ制御装置１１は、オペレータが演算装置１２などを遠隔で操作可能な操作装置２１を有している。この操作装置２１は、指先で画面をタッチすることで操作可能なタッチパネル式のディスプレスであって、ＰＰＦデータに基づいた印刷絵柄画像をインキキーゾーンに区画して表示する画像表示画面３１と、設定された色調整量をインキキーゾーンごとに表示する色調整量表示画面３２と、色調整量を行う色調整量操作画面３３とを有している。また、操作装置２１は、インキ元ローラ回転数やインキキー開度などの印刷機運転状態を表示する印刷状態表示画面３４を有しており、画像表示画面３１と切換表示可能となっている。
【０１３１】
そして、本実施例のオフセット印刷機にて、インキ制御装置１１は、選択されたインキキーゾーンの色調整量を指示値に基づいてインキキー開度により設定（第１色調整量設定手段）することができると共に、この色調整量を指示値に基づいてインキ呼出ローラの停止枚数により設定（第３色調整量設定手段）することができ、インキキー開度またはインキ呼出ローラの停止枚数に基づいてインキ供給量を変更するようにしている。
【０１３２】
所定のインキキーゾーンのインキ供給量を減少させる必要が生じ、例えば、オペレータにより印刷絵柄画像における低画線部のインキキーゾーンが選択され、この低画線部のインキキーゾーンのインキ供給量を減少させる指示値が入力されたとき、演算装置１２は、選択されたインキキーゾーンの色調整量を、指示値に基づいてインキ呼出ローラ１１０，２１０，３１０，４１０の停止枚数として設定する。このとき、オペレータにより入力された指示値が選択されたインキキーゾーンにおける低画線部の濃度を低下させるものであるとき、色調整量を指示値に基づいてインキ呼出ローラ１１０，２１０，３１０，４１０の停止枚数として変更し、設定されたインキ呼出ローラ１１０，２１０，３１０，４１０の停止枚数までこのインキ呼出ローラ１１０，２１０，３１０，４１０を停止する
【０１３３】
以下、本実施例のオフセット印刷機におけるインキ制御装置１１によるインキ供給量制御方法について、図１４のフローチャートを用いて説明する。インキ制御装置１１によるインキ供給量制御方法において、図１４に示すように、ステップＳ７１にて、版胴への刷版の取付やプレインキングなどの印刷前準備が完了すると、ステップＳ７２にて、図示しない試し刷りスイッチを操作することで、ＰＰＦデータに基づいて設定された画像の試し刷りを実施する。この試し刷り作業は、ＰＰＦデータに基づいて設定された基準のインキ供給量により各インキ供給装置１０２，２０２，３０２，４０２のインキキー開度コントローラ及びインキ元ローラ回転コントローラを制御し、印刷ユニット１０１，２０１，３０１，４０１を稼動して実施する。
【０１３４】
この試し刷りが終了すると、ステップＳ７３にて、オペレータは、この試し刷りされた印刷画像を目視評価し、色調整作業が必要かどうかを判断する。ここで、試し刷りされた印刷画像に対して色調整作業が不要であると判断した場合には、ステップＳ８７に移行して図示しない本刷りスイッチを操作して本刷りを実施する。一方、試し刷りされた印刷画像に対して色調整作業が必要であると判断した場合には、ステップＳ７４以降で、印刷画像の色調整作業を開始する。
【０１３５】
まず、ステップＳ７４にて、操作装置２１の画像表示画面３１にＰＰＦデータに基づいて設定された画像、つまり、果物の絵柄を表示する。次に、ステップＳ７５にて、表示された果物の絵柄にて、所定の果物の色を調整したいときには、オペレータが指先でこの果物が存在するインキキーゾーンＮＯ，７〜１４を選択する。続いて、ステップＳ７６にて、オペレータは、ユニット別スイッチ４５を操作してから、指先で色調整量操作画面３３にて、調整したいインキ色における調整スイッチ４１ａ，４１ｂ，４２ａ，４２ｂ，４３ａ，４３，４４ａ，４４ｂをタッチすることで、色調整のための指示値を入力する。すると、色調整量表示画面３３の色調整量表示部３６，３７，３８，３９に各インキ色の調整量が表示される。このとき、設定した色調整のための指示値を元に戻して調整をやり直したい場合には、リセットスイッチ４０を操作する。
【０１３６】
そして、ステップＳ７７では、特定の果物以外に色調整を行う箇所があるかどうかを判断し、その他に色調整を行う箇所がある場合には、ステップＳ７４に戻り、画像表示画面３１における特定のインキキーゾーンを選択し、前述と同様に、色調整量操作画面３３で調整スイッチ４１ａ，４１ｂ，４２ａ，４２ｂ，４３ａ，４３，４４ａ，４４ｂを用いて指示値を入力する。このとき、色調整のために選択したインキキーゾーンがオーバーラップしたときには、最後に調整した指示値が優先して処理される。また、色調整のために選択したインキキーゾーンがオーバーラップしたときには、全ての指示値を平均化して処理してもよい。
【０１３７】
一方、ステップＳ７７にて、その他に色調整を行う箇所がない場合には、ステップＳ７８にて、演算装置１２は、色調整の指示値と画線率とインキ元ローラ１０３，２０３，３０３，４０３の回転数に基づいて選択された複数のインキキーゾーンに対応してインキ成分ごとのインキ増減量を算出し、各インキキーゾーンにおけるインキ成分ごとのインキ供給量にこのインキ増減量を加算し、インキ成分ごとのインキ供給量を変更する。そして、このインキ成分ごとのインキ供給量に応じてインキキーゾーンにおけるインキキー１０５，２０５，３０５，４０５の開度変更量を算出し、インキキー１０５，２０５，３０５，４０５の開度を設定する。
【０１３８】
ステップＳ７９では、操作装置２１の画像表示画面３１に表示された画像にて、低画線部のインキ濃度を低下させる必要があるかどうかを判定する。即ち、インキ供給装置１０２，２０２，３０２，４０２では、インキ元ローラ１０３，２０３，３０３，４０３のインキがインキ呼出ローラ１１０，２１０，３１０，４１０を介してインキ受渡しローラ１１１，２１１，３１１，４１１に受け渡され、インキローラ群１０９，２０９，３０９，４０９で練られて版胴１０７，２０７，３０７，４０７、ブランケット１０６，２０６，３０６，４０６に供給される。ところが、低画線部を印刷するインキキーゾーンでは、インキの消費量が少ないため、この低画線部のインキ濃度を低下させようとしても、インキ受渡しローラ１１１，２１１，３１１，４１１からブランケット１０６，２０６，３０６，４０６までのインキ量がある程度消費されるまで濃度を低下させることが困難となる。
【０１３９】
そこで、このステップＳ７９にて、低画線部のインキ濃度を低下させる必要がないと判定されたら、ステップＳ８０にて、送信スイッチ４６を操作し、設定したインキキーゾーンごとのインキキー開度を印刷ユニットに一括送信する。このとき、色調整作業を複数回行ったときには、インキ成分としての墨（Ｋ）、藍（Ｃ）、紅（Ｍ）、黄（Ｙ）ごとの増減量が加算されて状態（色調整量の総量）で色調整量表示画面３２に表示され、送信スイッチ４６を操作することで、この色調整量表示画面３２に表示された色調整量の総量に対するインキキー開度を一括送信することができる。
【０１４０】
ステップＳ８１では、変更されたインキ成分ごとのインキキー開度に基づいて各インキ供給装置１０２，２０２，３０２，４０２における多数のインキキー１０５，２０５，３０５，４０５のインキキー開度を変更する。その後、ステップＳ７２に戻り、オペレータが試し刷りボタンを操作することで試し刷りを実施する。この試し刷り作業は、色調整作業で変更されたインキ供給量により各インキ供給装置１０２，２０２，３０２，４０２のインキキー開度コントローラ及びインキ元ローラ回転コントローラを制御し、印刷ユニット１０１，２０１，３０１，４０１を稼動して実施する。
【０１４１】
２回目の試し刷りが終了すると、ステップＳ７３にて、オペレータは、この試し刷りされた印刷画像を目視評価し、色調整作業が必要かどうかを判断する。ここで、試し刷りされた印刷画像に対して再び色調整作業が必要であると判断した場合には、上述したように、ステップＳ７４以降で、印刷画像の色調整作業を開始する一方、試し刷りされた印刷画像に対して色調整作業が不要であると判断した場合には、ステップＳ８７に移行して本刷りを実施し、作業を完了する。
【０１４２】
一方、ステップＳ７９にて、低画線部のインキ濃度を低下させる必要があると判定されたら、ステップＳ８２にて、演算装置１２は、インキ呼出ローラ１１０，２１０，３１０，４１０における停止枚数を計算し、ステップＳ８３にて、送信スイッチ４６を操作し、設定したインキキーゾーンごとのインキキー開度を印刷ユニットに一括送信する。そして、ステップＳ８４では、変更されたインキ成分ごとのインキキー開度に基づいて各インキ供給装置１０２，２０２，３０２，４０２における多数のインキキー１０５，２０５，３０５，４０５のインキキー開度を変更し、ステップＳ８５にて、オペレータが試し刷りボタンを操作することで試し刷りを実施する。
【０１４３】
この試し刷りは、インキ呼出ローラ１１０，２１０，３１０，４１０が停止した状態で実施されることで、インキ受渡しローラ１１１，２１１，３１１，４１１からブランケット１０６，２０６，３０６，４０６までのインキ量が減少する。そして、ステップＳ８６では、演算装置１２が設定した停止枚数までインキ呼出ローラ１１０，２１０，３１０，４１０を停止した状態で試し刷りが行われる。
【０１４４】
所定枚数の試し刷りが終了すると、ステップＳ７３にて、オペレータは、この試し刷りされた印刷画像を目視評価し、色調整作業が必要かどうかを判断する。ここで、試し刷りされた印刷画像に対して再び色調整作業が必要であると判断した場合には、ステップＳ７４以降で、印刷画像の色調整作業を開始する一方、試し刷りされた印刷画像に対して色調整作業が不要であると判断した場合には、ステップＳ８７に移行して本刷りを実施し、作業を完了する。
【０１４５】
このように実施例４のインキ制御装置を有するオフセット印刷機にあっては、ＰＰＦデータに基づいた印刷画像を表示する画像表示画面３１からオペレータが色調整を行う複数のインキキーゾーンを選択可能であると共に、色調整量操作画面３３を用いて色調整量の指示値を入力可能な操作装置２１を設け、演算装置１２が、選択された複数のインキキーゾーンの色調整量を指示値に基づいてインキキー開度により設定すると共に、インキ呼出ローラの停止枚数により設定し、指示値に基づいて選択された複数のインキキーゾーンにおけるインキ成分ごとの供給量を設定されたインキキー開度またはインキ呼出ローラの停止枚数により変更し、変更されたインキ成分ごとの供給量に応じてインキ供給装置１０２，２０２，３０２，４０２を制御するようにしている。
【０１４６】
この場合、演算装置１２が、選択された複数のインキキーゾーンにおけるインキ成分ごとの供給量を設定する一方、色調整量の指示値に基づいて選択された複数のインキキーゾーンにおけるインキ成分ごとの増減量を設定し、このインキ成分ごとの供給量に増減量を加算してインキ成分ごとの供給量を変更し、インキキー開度を変更するようにしている。
【０１４７】
従って、色調整を行うための選択されたインキキーゾーンに対して指示値を入力すると、指示値に基づいて色調整量をインキキー開度とインキ呼出ローラの停止枚数により設定し、このインキキー開度またはインキ呼出ローラの停止枚数に応じたインキ供給量を変更することとなり、選択したインキキーゾーンにおけるインキ成分ごとの調整量が自動的に設定され、印刷幅方向に区画された複数のインキ領域ごとのインキ供給量を容易に調整することができ、色調整作業の簡略化を図ることで作業性の向上を図ることができると共に、作業者にかかる負担を軽減することができる。
【０１４８】
また、本実施例では、オペレータにより特定のインキキーゾーンが選択されたとき、演算装置１２は、選択されたインキキーゾーンの色調整量を指示値と画線率とインキ元ローラの回転数に基づいてインキキーゾーンごとにインキキー開度変更量として設定し、オペレータにより選択された印刷絵柄画像における低画線部の濃度を低下させる指示値が入力択されたとき、色調整量を指示値に基づいてインキ呼出ローラ１１０，２１０，３１０，４１０の停止枚数として設定している。
【０１４９】
従って、低画線部の濃度を低下させる要求があったとき、この指示値に基づいてインキ呼出ローラ１１０，２１０，３１０，４１０の停止枚数を設定し、設定されたインキ呼出ローラ１１０，２１０，３１０，４１０の停止枚数までこのインキ呼出ローラ１１０，２１０，３１０，４１０を停止した状態で試し刷りを実施することとなり、インキ受渡しローラ１１１，２１１，３１１，４１１からブランケット１０６，２０６，３０６，４０６に溜まっているインキを消費してインキ量を減少することができ、オペレータが所望する濃度を適正に低下させることができる。
【実施例５】
【０１５０】
図１５は、本発明の実施例５に係る印刷機におけるインキ制御装置のインキ供給量制御のフローチャートである。なお、本実施例のオフセット印刷機における全体構成は、上述した実施例１とほぼ同様であり、図１乃至図４及び図８を用いて説明すると共に、実施例１で説明したものと同様の機能を有する部材には同一の符号を付して重複する説明は省略する。
【０１５１】
実施例５のオフセット印刷機は、装置構成が上述した実施例１とほぼ同様の構成を有している。即ち、実施例４のインキ制御装置を有するオフセット印刷機では、図１乃至図４及び図８に示すように、試し刷りされた印刷物に対してオペレータが色調整をするとき、色調整のための一つの指示値を入力すると、色調整を行う全てのインキキーゾーン（インキ領域）のインキ成分ごとの増減量を自動的に算出し、印刷標準データに基づいて設定されたインキ成分ごとの供給量に対して、このインキ成分ごとの増減量を加算してインキ成分ごとのインキ供給量、つまり、インキキー開度を設定するようにしている。
【０１５２】
即ち、本実施例のオフセット印刷機におけるインキ制御装置の装置構成において、図３及び図４に示すように、インキ制御装置１１は、インキキーゾーンごとの色調整量を設定する演算装置１２を有しており、第１パラレルパスラインＰ１を介して印刷ユニット１０１，２０１，３０１，４０１に接続されている。この演算装置１２は、基準インキ供給量設定部１６、インキ増減量設定部１７、インキ増減量加算部１８、インキ供給量制御部１９を有している。
【０１５３】
また、このインキ制御装置１１は、オペレータが演算装置１２などを遠隔で操作可能な操作装置２１を有している。この操作装置２１は、指先で画面をタッチすることで操作可能なタッチパネル式のディスプレスであって、ＰＰＦデータに基づいた印刷絵柄画像をインキキーゾーンに区画して表示する画像表示画面３１と、設定された色調整量をインキキーゾーンごとに表示する色調整量表示画面３２と、色調整量を行う色調整量操作画面３３とを有している。また、操作装置２１は、インキ元ローラ回転数やインキキー開度などの印刷機運転状態を表示する印刷状態表示画面３４を有しており、画像表示画面３１と切換表示可能となっている。
【０１５４】
そして、本実施例のオフセット印刷機にて、インキ制御装置１１は、選択されたインキキーゾーンの色調整量を指示値に基づいてインキキー開度により設定（第１色調整量設定手段）することができると共に、この色調整量を指示値に基づいてインキ元ローラの回転数により設定（第２色調整量設定手段）することができ、インキキー開度またはインキ元ローラの回転数に基づいてインキ供給量を変更するようにしている。この場合、本実施例にて、本発明の第１色調整量設定手段及び第２色調整量設定手段は、演算装置１２により構成される。
【０１５５】
例えば、オペレータにより特定のインキキーゾーンが選択されたとき、演算装置１２は、選択されたインキキーゾーンの色調整量を、指示値と画線率とインキ元ローラの回転数に基づいてインキキーゾーンごとにインキキー開度変更量として設定する。このとき、オペレータが全てのインキキーゾーンを選択したとき、演算装置１２は、全てのインキキーゾーンの色調整量を指示値に基づいてインキ元ローラの回転数として設定し、指示値と画線率と設定されたインキ元ローラの回転数に基づいてインキキーゾーンごとにインキキー開度変更量として設定することを可能としている。
【０１５６】
以下、本実施例のオフセット印刷機におけるインキ制御装置１１によるインキ供給量制御方法について、図１５のフローチャートを用いて説明する。インキ制御装置１１によるインキ供給量制御方法において、図１５に示すように、ステップＳ１０１にて、版胴への刷版の取付やプレインキングなどの印刷前準備が完了すると、ステップＳ１０２にて、図示しない試し刷りスイッチを操作することで、ＰＰＦデータに基づいて設定された画像の試し刷りを実施する。この試し刷り作業は、ＰＰＦデータに基づいて設定された基準のインキ供給量により各インキ供給装置１０２，２０２，３０２，４０２のインキキー開度コントローラ及びインキ元ローラ回転コントローラを制御し、印刷ユニット１０１，２０１，３０１，４０１を稼動して実施する。
【０１５７】
この試し刷りが終了すると、ステップＳ１０３にて、オペレータは、この試し刷りされた印刷画像を目視評価し、色調整作業が必要かどうかを判断する。ここで、試し刷りされた印刷画像に対して色調整作業が不要であると判断した場合には、ステップＳ１１７に移行して図示しない本刷りスイッチを操作して本刷りを実施する。一方、試し刷りされた印刷画像に対して色調整作業が必要であると判断した場合には、ステップＳ１０４以降で、印刷画像の色調整作業を開始する。
【０１５８】
ステップＳ１０４にて、オペレータがインキキーゾーンの全体にわたってインキ濃度の調整を行うかどうかを判定する。ここで、インキキーゾーンの全体にわたってインキ濃度を調整しないと判定した場合、ステップＳ１０５にて、まず、操作装置２１の画像表示画面３１にＰＰＦデータに基づいて設定された画像、つまり、果物の絵柄を表示する。次に、ステップＳ１０６にて、表示された果物の絵柄にて、所定の果物の色を調整したいときには、オペレータが指先でこの果物が存在するインキキーゾーンＮＯ，７〜１４を選択する。続いて、ステップＳ１０７にて、オペレータは、ユニット別スイッチ４５を操作してから、指先で色調整量操作画面３３にて、調整したいインキ色における調整スイッチ４１ａ，４１ｂ，４２ａ，４２ｂ，４３ａ，４３，４４ａ，４４ｂをタッチすることで、色調整のための指示値を入力する。すると、色調整量表示画面３３の色調整量表示部３６，３７，３８，３９に各インキ色の調整量が表示される。このとき、設定した色調整のための指示値を元に戻して調整をやり直したい場合には、リセットスイッチ４０を操作する。
【０１５９】
そして、ステップＳ１０８では、特定の果物以外に色調整を行う箇所があるかどうかを判断し、その他に色調整を行う箇所がある場合には、ステップＳ１０５に戻り、画像表示画面３１における特定のインキキーゾーンを選択し、前述と同様に、色調整量操作画面３３で調整スイッチ４１ａ，４１ｂ，４２ａ，４２ｂ，４３ａ，４３，４４ａ，４４ｂを用いて指示値を入力する。このとき、色調整のために選択したインキキーゾーンがオーバーラップしたときには、最後に調整した指示値が優先して処理される。また、色調整のために選択したインキキーゾーンがオーバーラップしたときには、全ての指示値を平均化して処理してもよい。
【０１６０】
一方、ステップＳ１０８にて、その他に色調整を行う箇所がない場合には、ステップＳ１０９にて、演算装置１２は、色調整の指示値と画線率とインキ元ローラ１０３，２０３，３０３，４０３の回転数に基づいて選択された複数のインキキーゾーンに対応してインキ成分ごとのインキ増減量を算出し、各インキキーゾーンにおけるインキ成分ごとのインキ供給量にこのインキ増減量を加算し、インキ成分ごとのインキ供給量を変更する。そして、このインキ成分ごとのインキ供給量に応じてインキキーゾーンにおけるインキキー１０５，２０５，３０５，４０５の開度変更量を算出し、インキキー１０５，２０５，３０５，４０５の開度を設定する。
【０１６１】
そして、ステップ１１０にて、送信スイッチ４６を操作し、設定したインキキーゾーンごとのインキキー開度を印刷ユニットに一括送信する。このとき、色調整作業を複数回行ったときには、インキ成分としての墨（Ｋ）、藍（Ｃ）、紅（Ｍ）、黄（Ｙ）ごとの増減量が加算されて状態（色調整量の総量）で色調整量表示画面３２に表示され、送信スイッチ４６を操作することで、この色調整量表示画面３２に表示された色調整量の総量に対するインキキー開度を一括送信することができる。ステップＳ１１１では、変更されたインキ成分ごとのインキキー開度に基づいて各インキ供給装置１０２，２０２，３０２，４０２における多数のインキキー１０５，２０５，３０５，４０５のインキキー開度を変更する。
【０１６２】
一方、ステップＳ１０４にて、オペレータがインキキーゾーンの全体にわたってインキ濃度の調整を行うと判定すると、ステップＳ１１２にて、インキ濃度変更をインキ元ローラ１０３，２０３，３０３，４０３の回転数を変更することで実施するかどうかを判定する。ここで、インキ元ローラ１０３，２０３，３０３，４０３の回転数を変更することでインキ濃度を調整すると判定した場合、ステップＳ１１３にて、印刷状態表示画面３４で、選択スイッチ４９ｂを操作した後、増加スイッチ９１ａ，９１ｂ，９１ｃ，９１ｄ及び減少スイッチ９２ａ，９２ｂ，９２ｃ，９２ｄを操作することで、インキ元ローラ１０３，２０３，３０３，４０３の回転数を上昇または低下し、インキ濃度を調整する。
【０１６３】
また、ステップＳ１１２にて、インキ濃度変更をインキ元ローラ１０３，２０３，３０３，４０３の回転数の変更により実施しないと判定した場合、ステップＳ１１４にて、印刷状態表示画面３４で、選択スイッチ４９ａを操作した後、増加スイッチ９１ａ，９１ｂ，９１ｃ，９１ｄ及び減少スイッチ９２ａ，９２ｂ，９２ｃ，９２ｄを操作することで、インキキー１０５，２０５，３０５，４０５の開度を増加または減少し、インキ濃度を調整する。
【０１６４】
このインキ元ローラ１０３，２０３，３０３，４０３の回転数またはインキキー１０５，２０５，３０５，４０５の開度によりインキ濃度の調整時、濃度差表示部５０ａ，５０ｂ，５０ｃ，５０ｄに調整前後の濃度差が表示されると共に、回転数表示部４７ａ，４７ｂ，４７ｃ，４７ｄに変更後のインキ元ローラ１１０，２１０，３１０，４１０の回転数が表示され、インキキー開度表示部４８ａ，４８ｂ，４８ｃ，４８ｄに変更後のインキキー開度が表示される。
【０１６５】
そして、ステップＳ１１５にて、送信スイッチ４６を操作し、設定したインキ元ローラ１０３，２０３，３０３，４０３の回転数またはインキキー１０５，２０５，３０５，４０５の開度を印刷ユニットに一括送信する。そして、ステップＳ１１６では、変更されたインキ元ローラ１０３，２０３，３０３，４０３の回転数またはインキキー１０５，２０５，３０５，４０５の開度に基づいて各インキ供給装置１０２，２０２，３０２，４０２によるインキ供給量を変更する。
【０１６６】
このようにステップＳ１１１にて、変更されたインキ成分ごとのインキキー開度に基づいて各インキ供給装置１０２，２０２，３０２，４０２における多数のインキキー１０５，２０５，３０５，４０５のインキキー開度が変更されたり、ステップＳ１１６にて、変更されたインキ元ローラ１０３，２０３，３０３，４０３の回転数またはインキキー１０５，２０５，３０５，４０５の開度に基づいて各インキ供給装置１０２，２０２，３０２，４０２におけるインキ供給量が変更されると、ステップＳ１０２にて、オペレータが試し刷りボタンを操作することで試し刷りを実施する。
【０１６７】
この試し刷りが終了すると、ステップＳ１０３にて、オペレータは、この試し刷りされた印刷画像を目視評価し、色調整作業が必要かどうかを判断する。ここで、試し刷りされた印刷画像に対して再び色調整作業が必要であると判断した場合には、ステップＳ１０４以降で、印刷画像の色調整作業を開始する一方、試し刷りされた印刷画像に対して色調整作業が不要であると判断した場合には、ステップＳ１１７に移行して本刷りを実施し、作業を完了する。
【０１６８】
このように実施例５のインキ制御装置を有するオフセット印刷機にあっては、ＰＰＦデータに基づいた印刷画像を表示する画像表示画面３１からオペレータが色調整を行う複数のインキキーゾーンを選択可能であると共に、色調整量操作画面３３を用いて色調整量の指示値を入力可能な操作装置２１を設け、演算装置１２が、選択された複数のインキキーゾーンの色調整量を指示値に基づいてインキキー開度により設定すると共に、インキ元ローラの回転数により設定し、指示値に基づいて選択された複数のインキキーゾーンにおけるインキ成分ごとの供給量を設定されたインキキー開度またはインキ元ローラの回転数により変更し、変更されたインキ成分ごとの供給量に応じてインキ供給装置１０２，２０２，３０２，４０２を制御するようにしている。
【０１６９】
この場合、演算装置１２が、選択された複数のインキキーゾーンにおけるインキ成分ごとの供給量を設定する一方、色調整量の指示値に基づいて選択された複数のインキキーゾーンにおけるインキ成分ごとの増減量を設定し、このインキ成分ごとの供給量に増減量を加算してインキ成分ごとの供給量を変更し、インキキー開度を変更するようにしている。
【０１７０】
従って、色調整を行うための選択されたインキキーゾーンに対して指示値を入力すると、指示値に基づいて色調整量をインキキー開度とインキ元ローラの回転数により設定し、このインキキー開度またはインキ元ローラの回転数に応じたインキ供給量を変更することとなり、選択したインキキーゾーンにおけるインキ成分ごとの調整量が自動的に設定され、印刷幅方向に区画された複数のインキ領域ごとのインキ供給量を容易に調整することができ、色調整作業の簡略化を図ることで作業性の向上を図ることができると共に、作業者にかかる負担を軽減することができる。
【０１７１】
また、本実施例では、オペレータが全てのインキキーゾーンを選択し、その濃度変更を実施するとき、全てのインキキーゾーンの色調整量を指示値に基づいてインキ元ローラの回転数として設定し、このインキ元ローラの回転数を変更することで、インキ供給量を変更して濃度調整を可能としている。
【０１７２】
従って、全てのインキキーゾーンが選択されたとき、インキ元ローラ１０３，２０３，３０３，４０３における回転数を変更することで、全てのインキキーゾーンに対して、オペレータが所望する色調整を短時間で容易に実行することができる。
【実施例６】
【０１７３】
図１６は、本発明の実施例６に係る印刷機におけるインキ制御装置の操作装置の印刷状態表示画面を表す概略図である。なお、本実施例のオフセット印刷機における全体構成は、上述した実施例１とほぼ同様であり、図１、図４及び図８を用いて説明すると共に、実施例１で説明したものと同様の機能を有する部材には同一の符号を付して重複する説明は省略する。
【０１７４】
実施例６のオフセット印刷機は、操作装置の画像表示画面と色調整量表示画面と色調整量操作画面が上述した実施例１とほぼ同様の構成を有しており、印刷状態表示画面のみが相違している。即ち、実施例６のインキ制御装置を有するオフセット印刷機において、図１６に示すように、操作装置５０１の印刷状態表示画面５０２には、４つのインキ色としての墨（Ｋ）、（Ｃ）、紅（Ｍ）、黄（Ｙ）に対応して、各インキ供給装置１０２，２０２，３０２，４０２のインキ元ローラ１１０，２１０，３１０，４１０の回転数を表示する回転数表示部５０３ａ，５０３ｂ，５０３ｃ，５０３ｄと、水元ローラの回転数を表示する回転数表示部５０４ａ，５０４ｂ，５０４ｃ，５０４ｄが設けられると共に，この表示をＯＮ／ＯＦＦする表示スイッチ５０５ａ，５０５ｂ，５０５ｃ，５０５ｄが設けられている。
【０１７５】
なお、図示しないが、この水元ローラは、版胴に湿し水を転移させることで、インキと湿し水との乳化を促進して綺麗な印刷を行う湿し装置の一部である。この湿し装置は、水舟と、この水舟に貯留されている湿し水を汲み出す水元ローラと、この水元ローラに対して対接可能な調量ローラと、この調量ローラに対接する水着けローラ３２から構成されており、この水着けローラが版胴１２に対接している。
【０１７６】
また、印刷状態表示画面５０２には、４つのインキ色としての墨（Ｋ）、（Ｃ）、紅（Ｍ）、黄（Ｙ）に対応して、見当調整に必要な咥尻見当表示部５０６ａ，５０６ｂ，５０６ｃ，５０６ｄと、操駆見当表示部５０７ａ，５０７ｂ，５０７ｃ，５０７ｄと、ねじれ見当表示部５０８ａ，５０８ｂ，５０８ｃ，５０８ｄが設けられている。
【０１７７】
更に、印刷状態表示画面５０２には、４つのインキ色としての墨（Ｋ）、（Ｃ）、紅（Ｍ）、黄（Ｙ）に対応して、インキキー開度を表示するインキキー開度表示部５０９ａ，５０９ｂ，５０９ｃ，５０９ｄが設けられている。そして、印刷状態表示画面５０２から画像表示画面（図１参照）に戻る表示切換スイッチ１１０が設けられている。
【０１７８】
従って、印刷状態表示画面５０２にて、４つのインキ色としての墨（Ｋ）、（Ｃ）、紅（Ｍ）、黄（Ｙ）に対応して、インキ元ローラ１１０，２１０，３１０，４１０の回転数を回転数表示部５０３ａ，５０３ｂ，５０３ｃ，５０３ｄに表示し、水元ローラの回転数を回転数表示部５０４ａ，５０４ｂ，５０４ｃ，５０４ｄに表示し、見当調整位置を咥尻見当表示部５０６ａ，５０６ｂ，５０６ｃ，５０６ｄ、操駆見当表示部５０７ａ，５０７ｂ，５０７ｃ，５０７ｄ、ねじれ見当表示部５０８ａ，５０８ｂ，５０８ｃ，５０８ｄにそれぞれ表示し、インキキー開度をインキキー開度表示部５０９ａ，５０９ｂ，５０９ｃ，５０９ｄに表示することができる。
【０１７９】
このように実施例６のインキ制御装置を有するオフセット印刷機にあっては、操作装置５０１にて、画像表示画面３１に対して印刷状態表示画面５０２を切換表示可能とし、この印刷状態表示画面５０２に、４つのインキ色としての墨（Ｋ）、（Ｃ）、紅（Ｍ）、黄（Ｙ）に対応して、インキ元ローラ１１０，２１０，３１０，４１０の回転数、水元ローラの回転数、見当調整位置、インキキー開度を表示可能としている。
【０１８０】
従って、現在の印刷状態を一つの画面で容易に把握することができ、例えば、色調整作業に関連するインキキー開度、インキ元ローラや水元ローラの回転数、見当位置などをオペレータが見てどのパラメータを変更すべきかを的確に判断することができ、印刷作業における作業性を向上することができる。
【産業上の利用可能性】
【０１８１】
本発明に係る印刷機は、印刷画像の色調整を行うためのインキ領域に対して色調整量の指示値を入力することで、このインキ領域におけるインキ成分ごとの増減量を設定するものであり、いずれの印刷機にも適用することができる。
【図面の簡単な説明】
【０１８２】
【図１】本発明の実施例１に係る印刷機におけるインキ制御装置の操作装置を表す概略図である。
【図２】実施例１の印刷機におけるインキ制御装置の操作装置の印刷状態表示画面を表す概略図である。
【図３】実施例１の印刷機におけるインキ制御装置の外観図である。
【図４】実施例１の印刷機におけるインキ制御装置の概略構成図である。
【図５】実施例１の印刷機におけるインキ制御装置のインキキーゾーンごとのインキ供給量制御の処理ブロック図である。
【図６】画線率に対するインキキー開度変更量を表すグラフである。
【図７】実施例１の印刷機におけるインキ制御装置のインキ供給量制御のフローチャーである。
【図８】実施例１の印刷機が適用されたオフセット印刷機の概略構成図である。
【図９】本発明の実施例２に係る印刷機におけるインキ制御装置の操作装置を表す概略図である。
【図１０】実施例２の印刷機におけるインキ制御装置の概略構成図である。
【図１１】実施例２の印刷機におけるインキ制御装置のインキ供給量制御のフローチャートである。
【図１２】本発明の実施例３に係る印刷機におけるインキ制御装置の操作装置を表す概略図である。
【図１３】実施例３の印刷機におけるインキ制御装置のインキ供給量制御のフローチャートである。
【図１４】本発明の実施例４に係る印刷機におけるインキ制御装置のインキ供給量制御のフローチャートである。
【図１５】本発明の実施例５に係る印刷機におけるインキ制御装置のインキ供給量制御のフローチャートである。
【図１６】本発明の実施例６に係る印刷機におけるインキ制御装置の操作装置の印刷状態表示画面を表す概略図である。
【図１７】従来の印刷機におけるインキ制御装置のインキ供給量制御のフローチャートである。
【符号の説明】
【０１８３】
１１  インキ制御装置
１２  演算装置
１６  基準インキ供給量設定部
１７  インキ増減量設定部
１８  インキ増減量加算部
１９  インキ供給量制御部（インキ変更量変更手段）
２１，５１，８１，５０１  操作装置
３１  画像表示画面（色調整用インキ領域選択手段、画像表示部）
３２  色調整量表示画面（色調整用インキ領域選択手段、色調整量表示部）
３３，５２，８２  色調整量操作画面（色調整量設定手段）
３４，５０２  印刷状態表示画面
３６，３７，３８，３９  色調整量表示部
４５  ユニット別スイッチ
４６  送信スイッチ
１０１，２０１，３０１，４０１  印刷ユニット
１０２，２０２，３０２，４０２  インキ供給装置
１０３，２０３，３０３，４０３  インキ元ローラ
１０５，２０５，３０５，４０５  インキキー
１０６，２０６，３０６，４０６  ブランケット
１０７，２０７，３０７，４０７  版胴
１０８，２０８，３０８，４０８  圧胴
１１０，２１０，３１０，４１０  インキ呼出ローラ
【図１】
2008119854.tif 000004
【図２】
2008119854.tif 000005
【図３】
2008119854.tif 000006
【図４】
2008119854.tif 000007
【図５】
2008119854.tif 000008
【図６】
2008119854.tif 000009
【図７】
2008119854.tif 000010
【図８】
2008119854.tif 000011
【図９】
2008119854.tif 000012
【図１０】
2008119854.tif 000013
【図１１】
2008119854.tif 000014
【図１２】
2008119854.tif 000015
【図１３】
2008119854.tif 000016
【図１４】
2008119854.tif 000017
【図１５】
2008119854.tif 000018
【図１６】
2008119854.tif 000019
【図１７】
2008119854.tif 000020